(57)【要約】  移動局が割当情報の受信をミスし、複数の移動局からの上り回線データが衝突した場合でも、ＡＲＱ制御の破綻を防ぐことができる無線通信基地局装置。この装置において、ＣＲＣ部（１２３）は、復号後の上り回線データに対してＣＲＣを用いた誤り検出を行って応答信号を生成し、変調部（１０５）は応答信号を変調し、レピティション部（１０６）は、変調された応答信号を複製して同一の複数の応答信号を得、スクランブリングコード選択部（１０７）は、割当情報生成部（１０１）から上り回線のデータチャネルのスケジューリング方法を受け取り、ＰＳＡ移動局またはＤＳＡ移動局のスクランブリングコードを選択し、スクランブリング部（１０８）は、スクランブリングコード選択部（１０７）において選択されたスクランブリングコードを用いて応答信号をスクランブリングする。
2009022467.tif 000002
【特許請求の範囲】
【請求項１】
誤り検出を行って、応答信号を生成する誤り検出手段と、
複数のスクランブリングコードから１つを選択する選択手段と、
前記選択手段で選択されたスクランブリングコードを用いて応答信号をスクランブリングするスクランブリング手段と、
を具備する無線通信基地局装置。
【請求項２】
前記選択手段は、
前記応答信号が上り割当情報を送信した後の上り回線データ受信に対する応答信号である場合と、前記応答信号が上り割当情報を送信しない上り回線データ受信に対する応答信号である場合とで、異なるスクランブリングコードを選択する、
請求項１記載の無線通信基地局装置。
【請求項３】
前記選択手段は、
前記応答信号がPersistent Schedulingした上り回線データに対する応答信号である場合と、前記応答信号がDynamic Schedulingした上り回線データに対する応答信号である場合とで、異なるスクランブリングコードを選択する、
請求項１記載の無線通信基地局装置。
【請求項４】
前記選択手段は、
前記応答信号が上り割当情報を送信した後の上り回線データ受信に対する応答信号である場合と、前記応答信号がＮＡＣＫ情報を送信した後の上り回線データ受信に対する応答信号である場合とで、異なるスクランブリングコードを選択する、
請求項１記載の無線通信基地局装置。
【請求項５】
前記応答信号が上り割当情報を受信した後の上り回線データ送信に対する応答信号である場合と、前記応答信号が上り割当情報を受信しない上り回線データ送信に対する応答信号である場合とで、異なるスクランブリングコードを選択する選択手段と、
前記選択手段で選択されたスクランブリングコードを用いて応答信号をデスクランブリングするデスクランブリング手段と、
を具備する無線通信移動局装置。
【請求項６】
ＡＲＱにおける応答信号のスクランブリング方法であって、
上り割当情報によって上り送信されたデータに対する応答信号と、上り割当情報を用いずに上り送信されたデータに対する応答信号とで、異なるスクランブリングコードを用いる、
スクランブリング方法。
【発明の詳細な説明】
【技術分野】
【０００１】
本発明は、無線通信基地局装置、無線通信移動局装置およびＡＲＱにおける応答信号のスクランブリング方法に関する。
【背景技術】
【０００２】
近年のインターネットトラフィックの増大とともに、移動体通信における高速パケット伝送技術への要求が高まっており、それを実現する伝送方式の１つとしてＯＦＤＭ(Orthogonal Frequency Division Multiplex)方式が検討されている。ＯＦＤＭ方式は、ＣＰ(Cyclic Prefix)を備えるデータ列を複数のサブキャリアを用いて並列に伝送することにより、マルチパス干渉による特性劣化を低減することができる。また、ＯＦＤＭ方式は、誤り訂正符号を適用することにより、周波数選択性フェージングへの耐性を備えている。【０００３】
ＯＦＤＭ方式においては、様々な下りチャネルが周波数分割多重され、さらに、複数のＯＦＤＭシンボルを１ＴＴＩ（Transmission Time Interval）とすることで、時間分割多重される。下りチャネルの制御チャネルとして、ＡＣＫ(Acknowledgment)／ＮＡＣＫ(Negative Acknowledgment)チャネルおよび割当情報通知チャネルがある。【０００４】
応答信号用チャネルとは、上りパケット伝送において、無線通信基地局装置でのパケット受信ＯＫ（ＡＣＫ）及びＮＧ（ＮＡＣＫ）を無線通信移動局装置にフィードバックするためのチャネルである。すなわち、ＯＦＤＭ方式においては、上り回線で無線通信移動局装置から無線通信基地局装置へ伝送される上り回線データに対してＡＲＱ（Automatic Repeat Request）が適用される。以下、無線通信移動局装置を単に移動局、またはＵＥ（User Equipment）と称し、無線通信基地局装置を単に基地局、またはＢＳ(Base Station)と称す。【０００５】
最近、下り回線の通信リソースを効率よく使用するために、応答信号用チャネルを複数の移動局で共有して使用するＡＲＱについて検討されている。また、このＡＲＱでは、基地局は上り回線データの受信後、所定時間経過後に応答信号を移動局へフィードバックし、移動局は、基地局からＮＡＣＫがフィードバックされた場合には、ＮＡＣＫ受信後、所定時間経過後に上り回線データを基地局へ再送する。このＡＲＱでは、応答信号に、その応答信号がどの無線通信移動局宛のものであるかを示す情報は付加されない（非特許文献１参照）。【０００６】
また、割当情報通知チャネルで通知される上りＲＢの番号と応答信号用チャネル番号とを１対１で対応づけることにより、割当情報通知チャネルにおいて、応答信号用チャネル番号を通知せずとも、応答信号用チャネル番号を移動局と基地局間で共有することができる。【０００７】
割当情報通知チャネルとは、ＯＦＤＭ方式の下りチャネルにおいて応答信号用チャネルと異なるもう１種の制御チャネルであり、移動局が上りデータを送信する際に用いる周波数帯域や変調方式などの情報を通知するためのチャネルである。移動局毎の割当情報には、どの移動局宛の割当情報であるかを示す移動局ＩＤ情報が含まれる。例えば、割当情報の通知先の移動局のＩＤ番号でマスキングされたＣＲＣビットが移動局ＩＤ情報として割当情報に含まれる。各移動局は、自局のＩＤ番号でデマスキングすることによりＣＲＣ＝ＯＫ（誤り無し）となった割当情報を自局宛の割当情報と判定する。このようにして、移動局は、割当情報通知チャネルが自局宛の割当情報であるか否かをブラインド判定する。【０００８】
一方、上りデータチャネルの送信ＲＢ(Resource Block)のスケジューリング方法として、ＰＳＡ（Persistent Scheduling Allocation）とＤＳＡ（Dynamic Scheduling Allocation）が検討されている。ＰＳＡは、ＶｏＩＰなどの低レートデータを上り送信する移動局に適用される。ＰＳＡ移動局は、予め割り当てられたＲＢを用いて、定期的に上り送信を行なう。ＤＳＡは、周波数スケジューリングを用いて、適応的に受信特性の良いＲＢを割り当て上り送信する方法であり、ＴＴＩ毎に上り送信のＲＢを割当情報通知チャネルにより通知される。
【非特許文献１】3GPP RAN WG1 Meeting document、 R1-070245、 “Modifications of Uplink Synchronous HARQ scheme”、 LG Electronics
【発明の開示】
【発明が解決しようとする課題】
【０００９】
ＰＳＡ移動局を予め割り当てられたＲＢ以外で上り送信させたい場合には、基地局はＰＳＡ移動局に対して、別途割当情報通知チャネルで新たな上り送信用ＲＢを通知する。例えば、ＰＳＡ移動局に予め割り当てられたＲＢ１をＤＳＡ移動局に割り当て、新たなＲＢ２をＰＳＡ移動局に割り当てる場合がある。ただし、移動局は割当情報通知チャネルを受信ミスしてしまう場合がある。なお、ＰＳＡ移動局は、割当情報通知チャネルを受信ミスした場合には、予め割り当てられたＲＢを用いて上り送信を続けるため、ＰＳＡ移動局からの上り回線データとＤＳＡ移動局の上り回線データとの衝突が発生してしまう。【００１０】
図１は、このようなＰＳＡ移動局の上り送信とＤＳＡ移動局の上り送信との衝突を示す図である。以下の説明では、基地局は上り回線データの受信後、１ＴＴＩ経過後に応答信号を移動局へフィードバックし、移動局は、ＮＡＣＫ受信後、１ＴＴＩ経過後に上り回線データを基地局へ再送するものとする。なお、時刻ｔ１の前に、ＰＳＡ移動局は予めＲＢ１を割り当てられていたとする。【００１１】
時刻ｔ１において、基地局は、ＲＢ２をＰＳＡ移動局に割り当てることを示す割当情報をＰＳＡ移動局宛に送信するとともに、ＲＢ１をＤＳＡ移動局に割り当てることを示す割当情報をＤＳＡ移動局宛に送信する。これは、例えば、ＤＳＡ移動局におけるチャネル品質が、ＲＢ２よりもＲＢ１の方が良い場合に、ＤＳＡ移動局をＲＢ１に周波数スケジューリングする場合に起こりうる。【００１２】
ここで、ＰＳＡ移動局が、時刻ｔ２で割当情報通知チャネルを受信ミスしたとする。よって、ＰＳＡ移動局は、時刻ｔ１の前に予め割り当てられたＲＢ１を用いて時刻ｔ３で新たな上り回線データを初回送信する。【００１３】
ＤＳＡ移動局は、時刻ｔ２で割当情報通知チャネルの受信に成功し、時刻ｔ３で割り当てられたＲＢ１を用いて新たな上り回線データを初回送信する。【００１４】
このようにＰＳＡ移動局が時刻ｔ２で割当情報通知チャネルの受信をミスした場合、ＰＳＡ移動局とＤＳＡ移動局とは時刻ｔ３で両方ともＲＢ１を用いて各自の上り回線データを送信するため、衝突が発生してしまう。その結果、時刻ｔ４において基地局でのＤＳＡ移動局の上り回線データの受信において、ＰＳＡ移動局の上り回線データの干渉を受けてしまい、高い確率で受信ＮＧとなる。そして、基地局は、ＲＢ１に対応づけられた応答信号番号１で、時刻ｔ５にＮＡＣＫをフィードバックする。更に、基地局は、ＲＢ２でＰＳＡ移動局の上りデータ受信を行なうが、ＰＳＡ移動局はＲＢ２で送信していないために、ＣＲＣ結果はＮＧとなる。従って、時刻ｔ５で基地局は、ＲＢ２に対応づけられた応答信号番号２でＮＡＣＫをフィードバックする。【００１５】
ＰＳＡ移動局は、時刻ｔ３でＲＢ１を用いて上り回線データを送信したため、時刻t５で基地局は、ＲＢ１に対応付けられた応答信号用チャネル番号１を用いて応答信号を送信するものと想定し、応答信号用チャネル番号１でフィードバックされたＮＡＣＫを自局宛のものであると判断してしまう。よって、ＰＳＡ移動局は、時刻ｔ７で上り回線データを再送（１回目）する。【００１６】
一方、ＤＳＡ移動局も、時刻ｔ３でＲＢ１を用いて上り回線データを送信したため、基地局から時刻ｔ５でフィードバックされたＮＡＣＫを自局宛のものであると判断して受信する。よって、ＤＳＡ移動局も、時刻ｔ７で上り回線データを再送（１回目）する。【００１７】
以上のことから、ＰＳＡ移動局からの再送データとＤＳＡ移動局からの再送データとの衝突が発生し、その結果、基地局でのＣＲＣ結果は高い確率でＮＧ（誤り有り）となる。よって、基地局は、時刻ｔ９でＮＡＣＫをフィードバックする。【００１８】
以降、ＰＳＡ移動局およびＤＳＡ移動局からの上り回線データの送信、上り回線データ同士の衝突、ＣＲＣ＝ＮＧ（誤り有り）、ＮＡＣＫのフィードバック、ＰＳＡ移動局およびＤＳＡ移動局からの上り回線データの送信、という一連の処理が繰り返されてしまい、ＡＲＱの制御が正常に動作しなくなってしまう。【００１９】
このように、応答信号用チャネルを複数の移動局で共有して使用するＡＲＱでは、ＰＳＡ移動局が割当情報通知チャネルを受信ミスし、ＰＳＡ移動局からの上り回線データと、ＤＳＡ移動局からの上り回線データとが同一ＲＢにおいて衝突してしまうと、ＡＲＱの制御が破綻してしまうという問題がある。【００２０】
本発明の目的は、応答信号用チャネルを複数の移動局で共有して使用するＡＲＱにおいて、ＰＳＡ移動局が割当情報通知チャネルを受信ミスし、ＰＳＡ移動局からの上り回線データと、ＤＳＡ移動局からの上り回線データとが同一ＲＢにおいて衝突した場合でも、ＡＲＱ制御の破綻を防ぐことができる基地局、移動局およびＡＲＱにおける応答信号のスクランブリング方法を提供することである。
【課題を解決するための手段】
【００２１】
本発明の基地局は誤り検出を行って、応答信号を生成する誤り検出手段と、複数のスクランブリングコードから１つを選択する選択手段と、前記選択手段で選択されたスクランブリングコードを用いて応答信号をスクランブリングするスクランブリング手段と、を具備する構成を採る。【００２２】
本発明のスクランブリング方法は、ＡＲＱにおける応答信号のスクランブリング方法であって、上り割当情報によって上り送信されたデータに対する応答信号と、上り割当情報を用いずに上り送信されたデータに対する応答信号とで、異なるスクランブリングコードを用いるようにした。
【発明の効果】
【００２３】
本発明によれば、応答信号用チャネルを複数の移動局で共有して使用するＡＲＱにおいて、ＰＳＡ移動局が割当情報通知チャネルの受信をミスし、ＰＳＡ移動局からの上り回線データと、ＤＳＡ移動局からの上り回線データとが衝突した場合でも、ＡＲＱ制御の破綻を防ぐことができる。
【図面の簡単な説明】
【００２４】
【図１】ＡＲＱのシーケンス例
【図２】実施の形態１に係る基地局の構成を示すブロック図
【図３】実施の形態１に係る移動局の構成を示すブロック図
【図４】実施の形態１に係るＡＲＱのシーケンス例
【図５】実施の形態１に係るコンスタレーションパターン
【図６】実施の形態１に係るスクランブリング例
【図７】実施の形態１に係るデスクランブリング例（ＰＳＡ移動局）
【図８】実施の形態１に係る判定例
【図９】実施の形態１に係るデスクランブリング例（ＤＳＡ移動局）
【図１０】実施の形態２に係るコンスタレーションパターン
【図１１】実施の形態２に係る基地局の構成を示すブロック図
【図１２】実施の形態２に係るＡＲＱのシーケンス例
【図１３】実施の形態２に係るスクランブリング例
【図１４】実施の形態２に係るデスクランブリング例（ＰＳＡ移動局）
【図１５】実施の形態２に係るデスクランブリング例（ＤＳＡ移動局）
【図１６】実施の形態３に係るＡＲＱのシーケンス例
【図１７】実施の形態３に係る基地局の構成を示すブロック図
【図１８】実施の形態３に係る移動局の構成を示すブロック図
【図１９】実施の形態３に係るＡＲＱのシーケンス例
【図２０】実施の形態３に係るスクランブリング例
【図２１】実施の形態３に係るデスクランブリング例（ＤＳＡ移動局１）
【図２２】実施の形態３に係るデスクランブリング例（ＤＳＡ移動局２）
【図２３】その他の応答信号例
【図２４】位相回転例（移動局１）
【図２５】位相回転例（移動局２）
【図２６】その他の判定例
【発明を実施するための最良の形態】
【００２５】
以下、本発明の実施の形態について、添付図面を参照して詳細に説明する。【００２６】
（実施の形態１）
本実施の形態に係る基地局１００の構成を図２に示し、本実施の形態に係る移動局２００の構成を図３に示す。【００２７】
なお、説明が煩雑になることを避けるために、図２では、本発明と密接に関連する上り回線データの受信、および、その上り回線データに対する応答信号の下り回線での送信に係わる構成部を示し、下り回線データの送信に係わる構成部の図示および説明を省略する。同様に、図３では、本発明と密接に関連する上り回線データの送信、および、その上り回線データに対する応答信号の下り回線での受信に係わる構成部を示し、下り回線データの受信に係わる構成部の図示および説明を省略する。【００２８】
図２に示す基地局１００において、割当情報生成部１０１は、上り回線のデータチャネルをどの移動局に割り当てるかを示す割当情報を生成して符号化部１０２およびデータ抽出部１１８に出力する。また、割当情報生成部１０１は、生成した割当情報の通知先の移動局ＩＤ番号を符号化部１０２に出力し、通知先の移動局の上り回線のデータチャネルのスケジューリング方法、すなわち、ＰＳＡまたはＤＳＡを示す情報をスクランブリングコード選択部１０７に出力する。【００２９】
符号化部１０２は、割当情報を符号化して変調部１０３に出力する。この際、符号化部１０２は、割当情報から複数のＣＲＣビットを生成し、それら複数のＣＲＣビットを割当情報生成部１０１から入力される移動局ＩＤ番号によってマスキングする。よって、割当情報には、その割当情報の通知先の移動局のＩＤ番号でマスキングされたＣＲＣビットが移動局ＩＤ情報として含まれる。【００３０】
変調部１０３は、符号化後の割当情報を変調して複数の割当情報シンボルを生成し、Ｓ／Ｐ部１０４に出力する。【００３１】
Ｓ／Ｐ部１０４は、変調部１０３から直列に入力される複数の割当情報シンボルを並列に変換してマッピング部１１０に出力する。【００３２】
変調部１０５は、上り回線データに対する応答信号（ＡＣＫまたはＮＡＣＫ）に対して変調処理を行い、変調処理後の応答信号をレピティション部１０６に出力する。【００３３】
レピティション部１０６は、変調部１０５から入力される応答信号を複製（レピティション）して同一の複数の応答信号を得て、それら複数の応答信号をスクランブリング部１０８に出力する。【００３４】
スクランブリングコード選択部１０７は、割当情報生成部１０１から上り回線のデータチャネルのスケジューリング方法を受け取り、ＰＳＡ移動局またはＤＳＡ移動局のスクランブリングコードを選択し、スクランブリング部１０８に出力する。【００３５】
スクランブリング部１０８は、同一の複数の応答信号をスクランブリングコード選択部１０７から入力されるスクランブリングコードでスクランブリングし、スクランブリング後の複数の応答信号をＳ／Ｐ部１０９に出力する。【００３６】
スクランブリングコード選択部１０７における選択処理、およびスクランブリング部１０８におけるスクランブリング処理の詳細については後述する。【００３７】
Ｓ／Ｐ部１０９は、スクランブリング部１０８から直列に入力される複数の応答信号を並列に変換してマッピング部１１０に出力する。【００３８】
マッピング部１１０は、割当情報シンボルおよび応答信号を、ＯＦＤＭシンボルを構成する複数のサブキャリアのいずれかにマッピングしてＩＦＦＴ（Inverse Fast Fourier Transform）部１１１に出力する。【００３９】
ＩＦＦＴ部１１１は、複数のサブキャリアのいずれかにマッピングされた割当情報シンボルおよび応答信号に対してＩＦＦＴを行ってＯＦＤＭシンボルを生成し、ＣＰ（Cyclic Prefix）付加部１１２に出力する。【００４０】
ＣＰ付加部１１２は、ＯＦＤＭシンボルの後尾部分と同じ信号をＣＰとしてＯＦＤＭシンボルの先頭に付加する。【００４１】
無線送信部１１３は、ＣＰ付加後のＯＦＤＭシンボルに対しＤ／Ａ変換、増幅およびアップコンバート等の送信処理を行ってアンテナ１１４から移動局２００へ送信する。【００４２】
一方、無線受信部１１５は、移動局２００から送信された上り回線データをアンテナ１１４を介して受信し、この上り回線データに対しダウンコンバート、Ａ／Ｄ変換等の受信処理を行う。【００４３】
ＣＰ除去部１１６は、Ａ／Ｄ変換された上り回線データに付加されたＣＰを除去する。【００４４】
ＤＦＴ(Discrete Fourier Transform)部１１７は、ＣＰが除去された上り回線データを周波数領域のデータに変換する。【００４５】
データ抽出部１１８は、割当情報生成部１０１から入力される割当情報にて、上り回線のデータチャネルとして割り当てられたＲＢ番号を受け取り、データ抽出を行う。抽出されたデータは、チャネル補償部１１９でチャネル補償が施され、さらに、ＩＤＦＴ(Discrete Fourier Transform)部１２０で時間領域のデータに戻される。【００４６】
復調部１２１は、時間領域の上り回線データを復調し、復調後の上り回線データを復号部１２２に出力する。【００４７】
復号部１２２は、復調後の上り回線データを復号し、復号後の上り回線データをＣＲＣ部１２３に出力する。【００４８】
ＣＲＣ部１２３は、復号後の上り回線データに対してＣＲＣを用いた誤り検出を行って、ＣＲＣ＝ＯＫ（誤り無し）の場合はＡＣＫを、ＣＲＣ＝ＮＧ（誤り有り）の場合はＮＡＣＫを応答信号として生成し、生成した応答信号を変調部１０５に出力する。また、ＣＲＣ部１２３は、ＣＲＣ＝ＯＫ（誤り無し）の場合、復号後の上り回線データを受信データとして出力する。【００４９】
一方、図３に示す移動局２００において、無線受信部２０２は、基地局１００から送信されたＯＦＤＭシンボルをアンテナ２０１を介して受信し、このＯＦＤＭシンボルに対しダウンコンバート、Ａ／Ｄ変換等の受信処理を行う。【００５０】
ＣＰ除去部２０３は、受信処理後のＯＦＤＭシンボルからＣＰを除去する。【００５１】
ＦＦＴ（Fast Fourier Transform）部２０４は、ＣＰ除去後のＯＦＤＭシンボルに対してＦＦＴを行って割当情報シンボルおよび応答信号を得て、それらを分離部２０５に出力する。【００５２】
分離部２０５は、割当情報シンボルと応答信号とを分離して、割当情報シンボルをＰ／Ｓ部２０６に出力し、応答信号をＰ／Ｓ部２１０に出力する。【００５３】
Ｐ／Ｓ部２０６は、分離部２０５から並列に入力される複数の割当情報シンボルを直列に変換して復調部２０７に出力する。【００５４】
復調部２０７は、割当情報シンボルを復調し、復調後の割当情報を復号部２０８に出力する。【００５５】
復号部２０８は、復調後の割当情報を復号し、復号後の割当情報を判定部２０９に出力する。【００５６】
判定部２０９は、復号部２０８から入力された割当情報通知チャネルが自局宛の割当情報であるか否かをブラインド判定する。判定部２０９は、復号部２０８から入力された割当情報を自局のＩＤ番号でデマスキングすることによりＣＲＣ＝ＯＫ（誤り無し）となった割当情報通知チャネルを自局宛の割当情報と判定する。そして、判定部２０９は、ＣＲＣ＝ＯＫ（誤り無し）となった割当情報（すなわち、自局宛の割当情報）を送信制御部２１４に出力する。【００５７】
Ｐ／Ｓ部２１０は、分離部２０５から並列に入力される複数の応答信号を直列に変換してデスクランブリング部２１１に出力する。【００５８】
デスクランブリング部２１１は、Ｐ／Ｓ部２１０から入力される複数の応答信号を自局のスケジューリング方式に対応するスクランブリングコード（すなわち、ＰＳＡまたはＤＳＡに対応するスクランブリングコード）でデスクランブリングし、デスクランブリング後の複数の応答信号を合成部２１２に出力する。【００５９】
合成部２１２は、デスクランブリング後の複数の応答信号を合成し、合成後の応答信号を復調部２１３に出力する。【００６０】
なお、デスクランブリング部２１１でのデスクランブリング処理の詳細および合成部２１２での合成処理の詳細については後述する。【００６１】
復調部２１３は、合成後の応答信号に対して復調処理を行い、復調処理後の信号がＡＣＫ、ＮＡＣＫまたはＤＴＸ（Discontinuous Transmission）のいずれであるかを判定する。そして、復調部２１３は、判定結果を再送制御部２１６に出力する。【００６２】
送信制御部２１４は、判定部２０９から得られた割当情報を元に、送信データをパケット化し、符号化部２１５に出力する。【００６３】
符号化部２１５は、送信データを符号化して再送制御部２１６に出力する。【００６４】
再送制御部２１６は、初回送信時には、符号化後の送信データを保持するとともに変調部２１７に出力する。再送制御部２１６は、判定結果として復調部２１３からＡＣＫが入力されるまで送信データを保持し、ＡＣＫが入力された場合は送信データを廃棄する。また、再送制御部２１６は、判定結果として復調部２１３からＮＡＣＫが入力された場合、すなわち、再送時には、保持している送信データを再び変調部２１７に出力する。また、再送制御部２１６は、判定結果として復調部２１３からＤＴＸが入力された場合には、送信データを保持したまま、上り送信を停止する。【００６５】
変調部２１７は、再送制御部２１６から入力される符号化後の送信データを変調する。【００６６】
ＤＦＴ部２１８は、変調後の送信データを周波数領域データに変換し、マッピング部２１９は、判定部２０９で得られた割当情報が示す上り送信ＲＢ番号に、周波数領域の送信データをマッピングする。【００６７】
ＩＤＦＴ部２２０は、上り送信ＲＢにマッピングされた周波数領域の送信データを時間領域データに変換し、ＣＰ付加部２２１に出力する。【００６８】
ＣＰ付加部２２１は、時間領域の送信データの後尾部分と同じ信号をＣＰとして送信データの先頭に付加する。【００６９】
無線送信部２２２は、ＣＰが付加された送信データに対しＤ／Ａ変換、増幅およびアップコンバート等の送信処理を行ってアンテナ２０１から基地局１００へ送信する。このようにして送信されるデータが上り回線データとなる。【００７０】
図３に示す移動局２００の構成はＤＳＡ移動局にもＰＳＡ移動局にも適用できる。ただし、移動局２００がＰＳＡ移動局であって基地局１００から新たなＲＢを割り当てられない場合には、ＦＦＴ部２０４において割当情報シンボルは得られず応答信号のみが得られる。この場合には、ＰＳＡ移動局は、予め割当られたＲＢ番号を用いて上り送信する。【００７１】
次いで、基地局１００のスクランブリング部１０８でのスクランブリング処理、移動局２００のデスクランブリング部２１１でのデスクランブリング処理、および、移動局２００の合成部２１２での合成処理について、図４に示すシーケンス例に従って詳しく説明する。【００７２】
ここでは、ＰＳＡ移動局のスクランブリングコード（ＰＳＡ移動局に固有のスクランブリングコード）をＳＣ＃１（Ｃ１、Ｃ２）＝（１、１）とし、ＤＳＡ移動局のスクランブリングコード（ＤＳＡ移動局に固有のスクランブリングコード）をＳＣ＃２（Ｃ１、Ｃ２）＝（１、−１）とする。なお、時刻ｔ１の前に、ＰＳＡ移動局はＲＢ１が予め割り当てられていたものとする。【００７３】
また、ＰＳＡ移動局およびＤＳＡ移動局の双方が図３に示す構成を採る。【００７４】
また、基地局１００の変調部１０５おけるコンスタレーションパターン（応答信号のコンスタレーションパターン）を図５に示すものとする。すなわち、変調部１０５は、応答信号に対しＢＰＳＫの変調を行うものとする。【００７５】
また、基地局１００のレピティション部１０６でのレピティション・ファクターをＲＦ＝２とし、レピティション部１０６が２倍レピティションを行うものとする。よって、レピティション部１０６では、同一の２つの応答信号が得られる。【００７６】
図４において、まず、基地局１００は、時刻ｔ１で、上り回線のデータチャネルのＲＢ２をＰＳＡ移動局に割り当てることを示す割当情報と、上り回線のデータチャネルのＲＢ１をＤＳＡ移動局に割り当てることを示す割当情報とを送信する。【００７７】
ＰＳＡ移動局は、時刻ｔ２で基地局１００からの割当情報通知チャネルを受信ミスしてしまったものとする。よって、ＰＳＡ移動局は、時刻ｔ１前に予め割り当てられたＲＢ１を用いて時刻ｔ３で上り回線データを初回送信する。【００７８】
一方、ＤＳＡ移動局は、時刻ｔ２で基地局１００からの割当情報通知チャネルを正しく受信できたとする。よって、ＤＳＡ移動局は、時刻ｔ３でＲＢ１を用いて上り回線データを初回送信する。【００７９】
よって、時刻ｔ４では、ＰＳＡ移動局からの初回送信データとＤＳＡ移動局からの初回送信データとがＲＢ１において送信され、衝突が発生する。その結果、ＲＢ１でのＤＳＡ移動局の上り回線データがＰＳＡ移動局の上り回線データの干渉をうけるため、基地局１００は、高い確率で受信ＮＧとなる。よって、基地局１００は、ＲＢ１に対応付けられた応答信号用チャネル番号１を用いて、時刻ｔ５でＮＡＣＫをフィードバックする。この際、スクランブリングコード選択部１０７は、ＤＳＡの移動局のスクランブリングコードＳＣ＃２（Ｃ１、Ｃ２）を選択する。よって、スクランブリング部１０８は、図６に示すように、レピティション部１０６から出力される２つのＮＡＣＫシンボル（Ｓ１、Ｓ２）をＤＳＡ移動局のスクランブリングコードＳＣ＃２（Ｃ１、Ｃ２）でスクランブリングする。つまり、スクランブリング部１０８は、２つのＮＡＣＫシンボルＳ１、Ｓ２それぞれに１、−１を乗算する。よって、基地局１００からフィードバックされる応答信号は図６に示すように、Ｓ１×１、Ｓ２×−１となる。【００８０】
ＰＳＡ移動局は、時刻ｔ３でＲＢ１を用いて上り回線データを初回送信しているため、基地局１００から時刻ｔ５でＲＢ１に対応付けられた応答信号用チャネル番号１の応答信号を自局宛のものであると判断して受信する。この際、ＰＳＡ移動局のデスクランブリング部２１１は、図７に示すように、Ｐ／Ｓ部２１０から出力される２つの応答信号、すなわち、図６に示すＳ１×１、Ｓ２×−１を、自局用のスクランブリングコードＳＣ＃１でデスクランブリングする。つまり、ＰＳＡ移動局のデスクランブリング部２１１は、２つのシンボルＳ１×１、Ｓ２×−１それぞれを１、１で除算する。よって、ＰＳＡ移動局のデスクランブリング部２１１では、図７に示すような信号点配置のＳ１、−Ｓ２が得られる。【００８１】
次いで、ＰＳＡ移動局の合成部２１２は、デスクランブリング部２１１から入力されるＳ１、−Ｓ２を合成する。よって、合成後のシンボルは、図７に示すように、（Ｉ、Ｑ）＝（０、０）の信号点に配置される。そして、ＰＳＡ移動局の復調部２１３は、この合成後のシンボルを図８に示す判定軸に従って判定する。よって、ＰＳＡ移動局は、基地局１００からの応答信号（ＮＡＣＫ）をＤＴＸと判定する。また、ＰＳＡ移動局は、応答信号がＤＴＸであると判定する場合、時刻ｔ３で上り送信に用いたＲＢが他局に割り当てられたＲＢであり、他局に割り当てられたＲＢを誤って用いたと判断する。よって、ＰＳＡ移動局は、時刻ｔ７で上り回線データの再送を行わない。つまり、ＰＳＡ移動局は、上り回線データの誤った送信を停止することができる。【００８２】
一方、ＤＳＡ移動局も、時刻ｔ３でＲＢ１を用いて上り回線データを初回送信しているため、基地局１００から時刻ｔ５でＲＢ１に対応付けられた応答信号用チャネル番号１の応答信号を自局宛のものであると判断して受信する。この際、ＤＳＡ移動局のデスクランブリング部２１１は、図９に示すように、Ｐ／Ｓ部２１０から出力される２つの応答信号、すなわち、図６に示すＳ１×１、Ｓ２×−１を、自局用のスクランブリングコードＳＣ＃２でデスクランブリングする。つまり、ＤＳＡ移動局のデスクランブリング部２１１は、２つのシンボルＳ１×１、Ｓ２×−１それぞれを１、−１で除算する。よって、ＤＳＡ移動局のデスクランブリング部２１１では、図９に示すような信号点配置のＳ１、Ｓ２が得られる。【００８３】
次いで、ＤＳＡ移動局の合成部２１２は、デスクランブリング部２１１から入力されるＳ１、Ｓ２を合成する。よって、合成後のシンボルは、図９に示すように、基地局１００におけるＮＡＣＫの信号点（図５）に配置される。そして、ＤＳＡ移動局の復調部２１３は、この合成後のシンボルをＰＳＡ移動局の復調部２１３同様、図８に示す判定軸に従って判定する。よって、ＤＳＡ移動局は、基地局１００からの自局宛の応答信号をＮＡＣＫと判定する。よって、ＤＳＡ移動局は、時刻ｔ７で上り回線データを再送（１回目）する。【００８４】
よって、時刻ｔ８では、ＰＳＡ移動局からの上り回線データとＤＳＡ移動局からの上り回線データとの衝突は発生しない。【００８５】
このように、本実施の形態によれば、応答信号用チャネルを複数の移動局で共有してＡＲＱ制御を行う移動通信システムにおいて、応答信号用チャネルにおいて、ＤＳＡ移動局またはＰＳＡ移動局個別のスクランブリングコードを設けた。そのため、ＰＳＡ移動局が割当情報通知チャネルの受信をミスし、ＰＳＡ移動局からの上り回線データと、ＤＳＡ移動局からの上り回線データとが衝突し、ＰＳＡ移動局が誤ってＤＳＡ移動局向けの応答信号用チャネルを受信した場合でも、ＰＳＡ移動局は、自分宛ての応答信号用チャネルではないことを判別し、誤ったＲＢでの上り送信を停止することができ、ＡＲＱ制御の破綻を防ぐことができる。【００８６】
なお、本実施の形態では、ＰＳＡ移動局およびＤＳＡ移動局のいずれもが、受信時にＡＣＫ、ＮＡＣＫ、ＤＴＸの３値判定を実施する場合を例にとって説明したが、本発明はこれに限定されず、ＰＳＡ移動局のみが３値判定を実施しても良い。【００８７】
また、ＰＳＡ移動局が３値判定を実施する場合には、２値判定を行うよりも応答信号用チャネルにおいて判定誤りが発生しやすくなる。よって、ＰＳＡ移動局が３値判定を行うタイミングの応答信号用チャネルは、確実に送信するのが好ましい。確実な送信方法としては、例えば、送信電力を増加したり、レピティション数を増加したり、またはＭＣＳレベルを低下するなどの方法が考えられる。【００８８】
また、本実施の形態では、応答信号に対しＢＰＳＫ変調を行う場合を例にとって説明したが、本発明はこれに限定されず、ＮＡＣＫ信号のみを送信するＯＯＫ(On Off Keying)変調を行っても良く、詳細については後述する。【００８９】
また、本実施の形態に示した基地局、移動局、およびスクランブリング方法は、割当情報通知チャネルを受信ミスしたＰＳＡ移動局からの上り回線データと、ＤＳＡ移動局からの上り回線データとが衝突した場合だけではなく、ＤＳＡ移動局から再送される上り回線データと、他のＤＳＡ移動局から初回送信される上り回線データとが衝突した場合にも、ＡＲＱ制御の破綻を防ぐことができ、詳細については後述する。【００９０】
（実施の形態２）
本発明の実施の形態２は、基地局において図１０に示すようなコンスタレーションパターンにより応答信号をＯＯＫ変調する場合について説明する。【００９１】
図１１は、本発明の実施の形態にかかる基地局３００の構成を示すブロック図である。なお、基地局３００は、実施の形態１に係る基地局１００（図２）と基本的に同様な構成をとり、基本的に同様な動作を行う。ここでは、基地局３００と基地局１００との相違点のみについて説明する。【００９２】
基地局３００の割当情報生成部３０１、変調部３０５と、基地局１００の割当情報生成部１０１、変調部１０５とは処理の一部に相違点があり、それを示すために異なる符号を付す。【００９３】
変調部３０５は、応答信号（ＡＣＫ、またはＮＡＣＫ）に対してＯＯＫ変調を行う点で、変調部１０５と相違する。【００９４】
割当情報生成部３０１は、割当情報通知チャネルにＮＤＩ(New Data Indicator)を付ける点が割当情報生成部１０１と相違する。【００９５】
本実施の形態に係る移動局は、実施の形態１に係る移動局２００（図３参照）と基本的に同様な構成を備えて基本的に同様な処理を行うため、詳細な説明を省略する。【００９６】
本実施の形態において、基地局は応答信号に対しＯＯＫ変調を行い、移動局はＡＣＫ、ＮＡＣＫの２値判定を行なう。すなわち、ＰＳＡ移動局が割当情報通知チャネルを受信ミスし、ＰＳＡ移動局の初回送信に対する応答信号が（Ｉ、Ｑ）＝（０、０）の信号点に配置される場合、ＰＳＡ移動局はＡＣＫを受信したと判定する。しかし、ここで、ＰＳＡ移動局が、ＲＢ１に送信した上り回線データが基地局において受信ＯＫとなったと誤って判断すると、基地局では、実際に受信できていないために、上位レイヤの再送が発生してしまう。それを防止するために、基地局は次の割当情報通知チャネルを送信する際にＮＤＩを用いて、前回送信した上り回線データと同じデータを送信するように通知する。これによって、ＰＳＡ移動局は、受信したＡＣＫ信号は他の移動局向けであり、割当情報通知チャネルの受信ミスであったと判断することができる。そしてＰＳＡ移動局は再度同じデータを上り送信する。このような処理を図１２〜１４を用いて説明する。【００９７】
図１２は、本実施の形態に係る基地局および移動局の処理を示すシーケンス図である。【００９８】
図１２は図４と基本的に同様であり、ここでは相違点のみを説明する。図１２に示す時刻ｔ５で、基地局からＮＡＣＫを送信する際、基地局は図１３に示すように、２つのＮＡＣＫシンボル（Ｓ１、Ｓ２）をＤＳＡ移動局のスクランブリングコードＳＣ＃２（Ｃ１、Ｃ２）＝（１、−１）でスクランブリングし、得られる応答信号Ｓ１×１、Ｓ２×−１を送信する。時刻ｔ７において、ＰＳＡ移動局は受信した２つの応答信号Ｓ１×１、Ｓ２×−１に対して、図１４に示すように、自局のスクランブリングコードＳＣ＃１＝（１、１）でデスクランブリングおよび合成し、（Ｉ、Ｑ）＝（０、０）の信号点に配置される合成シンボルを得る。ＰＳＡ移動局はこの合成信号（ＡＣＫ）に基づき、送信を停止する。一方、時刻ｔ７において、ＤＳＡ移動局は受信した２つの応答信号Ｓ１×１、Ｓ２×−１に対して、図１５に示すように、自局のスクランブリングコードＳＣ＃２＝（１、−１）でデスクランブリングおよび合成し、ＮＡＣＫの合成シンボルを得る（図１０参照）。ＤＳＡ移動局はこの合成信号（ＮＡＣＫ）に基づき再送を行う。そして、時刻ｔ９において、基地局は割当情報通知チャネル（ＲＢ２での上り送信を通知する）の送信の際に、あわせてＮＤＩを通知する。このとき、ＮＤＩとしては「０」を送信する。ＮＤＩが「０」の場合には、前回送信した上り回線データを再度送信する命令であり、ＮＤＩが「１」の場合には、新たな上り回線データを初回送信する命令である。割当情報を受信したＰＳＡ移動局は、ＮＤＩを読み「０」であることから、時刻ｔ７で受信したＡＣＫ信号が他の移動局宛てであったと認識し、再度同じデータを上り送信する。【００９９】
このように、本実施の形態によれば、基地局において応答信号に対しＯＯＫ変調を行う場合、ＰＳＡ移動局は、自分当ての応答信号用チャネルではない場合に、ＡＣＫ信号と判断し上り送信を停止するため、ＡＲＱ制御の破綻を防ぐことが出来る。また、基地局は次の割当情報ととともに、送信を停止したＰＳＡ移動局に対してＮＤＩ（＝０）を送信するため、ＰＳＡ移動局は前回の上り送信の結果がＡＣＫではなく、割当情報を受信ミスしたことを認識することができ、同じデータの再送を行うことが出来る。【０１００】
（実施の形態３）
本発明の実施の形態３では、ＤＳＡ移動局から再送される上り回線データと、他のＤＳＡ移動局から初回送信される上り回線データとが衝突した場合に、ＡＲＱ制御の破綻を防ぐことができる基地局、移動局、およびスクランブリング方法について説明する。【０１０１】
図１６は、ＤＳＡ移動局から再送される上り回線データと、他のＤＳＡ移動局から初回送信される上り回線データとの衝突を示す図である。なお、図１６は図１と基本的に同様であるため、ここでは、図１６と図１との相違点のみについて説明する。【０１０２】
図１においては、時刻ｔ１の前に、ＰＳＡ移動局は予め割り当てられたＲＢ１を用いて上り送信を行い、時刻ｔ１で基地局からの割当情報（ＲＢ２）を受信ミスした場合に、時刻ｔ３で続けてＲＢ１を用いて上り送信を行う。これに類似して、図１６においては、時刻ｔ１の前に、ＤＳＡ移動局１は割当情報（ＲＢ１）を受信し、ＲＢ１を用いて初回送信を行い、時刻ｔ１で基地局からの割当情報（ＲＢ２）を受信ミスした場合に、時刻ｔ３で続けてＲＢ１を用いて１回目再送を行う。【０１０３】
図１６と図１との時刻１以降のシーケンスは同様である。すなわち、再送を行っていたＤＳＡ移動局１が割当情報を受信ミスしてしまうと、ＤＳＡ移動局１の上り回線データとＤＳＡ移動局２の上り回線データとが衝突してしまい、ＡＲＱの制御が破綻してしまう。【０１０４】
図１６に示すような問題を解決するために、本実施の形態に係る基地局４００（図１７参照）は、実施の形態１に係る基地局１００（図２）と基本的に同様な構成をとり、基本的に同様な動作を行う。ここでは、基地局４００と基地局１００との相違点のみについて説明する。【０１０５】
基地局４００のスクランブリングコード選択部４０７と、基地局１００のスクランブリングコード選択部１０７とは処理の一部に相違点があり、その相違を示すために異なる符号を付す。【０１０６】
スクランブリングコード選択部４０７は、応答信号が、割当情報を通知された直後の上り送信に対する応答信号である場合と、ＮＡＣＫ情報を通知された直後の上り送信に対する応答信号である場合で、異なるスクランブリングコードを設ける。そして、スクランブリング部１０８は、レピティション部１０６から入力される同一の複数の応答信号に対して、異なるスクランブリングコードのいずれかでスクランブリングする。【０１０７】
また、本実施の形態に係る移動局５００（図１８参照）は、実施の形態１係る移動局２００（図３）と同様な構成を採り、基本的に同様な動作を行う。ここでは、移動局５００と移動局２００との相違点のみについて説明する。【０１０８】
デスクランブリング部５１１は、上り回線データが、割当情報を通知された直後の上り送信データである場合と、ＮＡＣＫ情報を通知された直後の上り送信データである場合に応答信号に対して、異なるスクランブリングコードを用いてデスクランブリングを行う。【０１０９】
図１９は、本実施の形態に係る基地局４００と、ＤＳＡ移動局１と、ＤＳＡ移動局２との処理を示すシーケンスである。なお、図１９は図４と基本的に同様であるため、ここでは、図１９と図４との相違点のみについて説明する。【０１１０】
図４においては、時刻ｔ１の前に、ＰＳＡ移動局は予め割り当てられたＲＢ１を用いて上り送信を行い、時刻ｔ１で基地局からの割当情報（ＲＢ２）を受信ミスした場合に、時刻ｔ３で続けてＲＢ１を用いて上り送信を行う。これに類似して、図１９においては、時刻ｔ１の前に、ＤＳＡ移動局１はＲＢ１を用いて初回送信を行い、時刻ｔ１で基地局からの割当情報（ＲＢ２）を受信ミスし、更に応答信号をＮＡＣＫと判断した場合に、時刻ｔ３で続けてＲＢ１を用いて１回目再送を行う。【０１１１】
図２０は、基地局４００における、ＲＢ１に対応付けられた応答信号用チャネル番号１のスクランブリング処理を示す図である。なお、図２０は図６と基本的に同様であるため、詳細な説明を省略する。図２０と図６との相違点は、図６においては、ＤＳＡ移動局のスクランブリングコードを用いたのに対し、図２０においては、割当情報を通知された直後の上り送信に対する応答信号用のスクランブリングコードを用いる点のみである。【０１１２】
図２１は、ＤＳＡ移動局１におけるデスクランブリング処理を示す図である。なお、図２１は図７と基本的に同様であるため、詳細な説明を省略する。図２１と図７との相違点は、図７においてはＰＳＡ移動局のスクランブリングコードを用いたのに対し、図２１においてはＮＡＣＫ情報を通知された直後の上り送信に対する応答信号用のスクランブリングコードを用いる点のみである。ＤＳＡ移動局１は、基地局４００からの応答信号（ＮＡＣＫ）をＤＴＸと判定し、時刻ｔ７で送信を停止する。【０１１３】
図２２は、ＤＳＡ移動局２におけるデスクランブリング処理を示す図である。なお、図２２は図９と基本的に同様であるため、詳細な説明を省略する。図２２と図９との相違点は、図９においてはＤＳＡ移動局のスクランブリングコードを用いたのに対し、図２２においては割当情報を通知された直後の上り送信に対する応答信号用のスクランブリングコードを用いる点のみである。ＤＳＡ移動局２は、基地局４００からの応答信号（ＮＡＣＫ）をＮＡＣＫと判定し、時刻ｔ７で再送（１回目）を行う。【０１１４】
よって、時刻ｔ８では、ＤＳＡ移動局１からの上り回線データとＤＳＡ移動局２からの上り回線データとの衝突は発生せず、基地局４００では受信ＯＫ（誤り無し）となる。【０１１５】
このように、本実施の形態によれば、応答信号用チャネルを複数の移動局で共有してＡＲＱ制御を行う移動通信システムにおいて、割当情報（ＲＢ２）を受信ミスしたＤＳＡ移動局から再送される上り回線データと、割当情報（ＲＢ１）を受信したＤＳＡ移動局から初回送信される上り回線データとの衝突が発生した場合に、基地局は、ＲＢ１に対応付けられた応答信号用チャネルにおけるレピティションシンボルを、割当情報を通知した直後の上り送信に対する応答信号用スクランブリングコードでスクランブリングし送信する。よって、割当情報（ＲＢ１）を受信したＤＳＡ移動局はデスクランブリング結果としてＮＡＣＫを得て再送を行う一方、割当情報（ＲＢ２）を受信ミスしたＤＳＡ移動局はデスクランブリング結果としてＤＴＸを得て送信を停止するため、ＡＲＱ制御の破綻を防ぐことができる。【０１１６】
なお、本実施の形態では、割当情報を通知した直後の上り送信に対する応答信号用スクランブリングコードと、ＮＡＣＫ情報を通知された直後の上り送信に対する応答信号用のスクランブリングコードとの２つを異ならせる方法を説明したが、更に、割当情報を通知した後の再送回数毎に、スクランブリングコードを異ならせてもよい。これによって、図１９において、ＤＳＡ移動局１のｔ７におけるＤＴＸ判定が雑音等の影響でＮＡＣＫとなってしまった場合でも、更にその次の、ＤＳＡ移動局１のｔ１１における受信時に、ＤＳＡ移動局２に対する応答信号をＤＴＸと判定することができる。【０１１７】
なお、本実施の形態では、上り回線データがＮＧであった場合に、基地局から割当情報を通知して再送を促すか、ＮＡＣＫを通知して再送を促すか、のいずれか一方を選択して行なう場合について説明したが、基地局から割当情報及びＮＡＣＫを通知して再送を促すか、ＮＡＣＫのみを通知して再送を促すかのいずれか一方を選択して行なう場合についても同様に実施可能である。その場合には、割当情報を通知した直後の上り送信に対する応答信号用スクランブリングコードと、割当情報を通知していない上り送信に対する応答信号用スクランブリングコードとを異ならせる。【０１１８】
以上、本発明の各実施の形態について説明した。【０１１９】
なお、上記各実施の形態では、割当情報通知チャネルの番号と応答信号用チャネルの番号とを１対１で対応づける場合を例にとって説明したが、本発明はこれに限定されず、割当情報通知チャネルが多重されているＣＣＥ（Control Channel Element）番号と応答信号用チャネルの番号とを対応付ける場合でも実施可能である。【０１２０】
また、上記各実施の形態において、基地局が、各移動局に使用させるスクランブリングコードを制御情報を用いて各移動局に通知してもよい。また、予め使用するスクランブリングコードを移動局毎に決めておいても良い。【０１２１】
なお、上記各実施の形態において、スクランブリングコードとしては１と−１をも利用したHadamard符号を利用しているが、これに限らず、直交コードを用いることができる。さらに、必ずしも直交コードではなくても、異なるコードを用いた場合に、応答信号のシンボルの振幅値が小さくなるコードであればよい。【０１２２】
また、ＡＣＫに代えて上り回線データの送信停止を指示するStop信号、および、ＮＡＣＫに代えて上り回線データの送信再開を指示するRe-Transmit信号を応答信号として用いる場合にも、上記各実施の形態と同様にして本発明を実施可能である。【０１２３】
また、応答信号は、ＡＣＫ／ＮＡＣＫ信号と呼ばれる場合もある。【０１２４】
また、応答信号用チャネルは、ＡＣＫ／ＮＡＣＫ  ＣＨや応答チャネルやＨＩＣＨ(Hybrid ＡＲＱ Indicator Channel)などと呼ばれる場合もある。【０１２５】
また、ＤＴＸは、受信信号なしという意味でＮＵＬＬと呼ばれる場合もある。【０１２６】
また、上記各実施の形態において、応答信号の変調方式としてＱＰＳＫ(Quadrature Phase Shift Keying)を用いることにより、２つのユーザの応答信号を１つのシンボルに多重した場合でも実施可能である。【０１２７】
また、本発明は、レピティション・ファクターの大きさに限定されるものではない。【０１２８】
また、同一グループに属する複数の移動局に対し同一の応答信号を送信する場合でも、上記各実施の形態と同様にして本発明を実施可能である。【０１２９】
また、各移動局に固有の位相回転を応答信号に与える位相回転処理を用いても、上記スクランブリング処理を用いる場合と同様の作用および効果を得ることができる。例えば、基地局からフィードバックされる応答信号が図２３に示すようなＳ１である場合、ＰＳＡ移動局が図２４に示すようにＳ１に対し位相回転を与えず、ＤＳＡ移動局が図２５に示すようにＳ１に対しπ／２の位相回転を与えるようにする。そして、例えば、図２６に示す判定軸に従って、ＰＳＡ移動局が位相回転量＝０のＳ１を判定し、ＤＳＡ移動局が位相回転量＝π／２のＳ１を判定する。よって、実施の形態１と同様、ＤＳＡ移動局は基地局からの自局宛のＮＡＣＫをＮＡＣＫと判定し、ＰＳＡ移動局は基地局からのＤＳＡ移動局宛のＮＡＣＫをＤＴＸと判定することができる。更に、ＰＳＡ移動局が２値（ＡＣＫ、ＮＡＣＫ）判定を行なう場合には、ＰＳＡ移動局がＳ１に対し位相回転を与えず、ＤＳＡ移動局が位相回転量＝πの位相回転を与えるようにすることで、ＰＳＡ移動局は、基地局からＤＳＡ移動局宛てのＮＡＣＫをＡＣＫと判定することができる。【０１３０】
また、移動局はUE、基地局装置はNode B、サブキャリアはトーンと称されることがある。また、ＣＰは、ガードインターバル（Guard Interval：ＧＩ）と称されることがある。【０１３１】
また、周波数領域と時間領域との間の変換を行う方法は、ＩＦＦＴ、ＦＦＴ、ＤＦＴ、ＩＤＦＴに限られない。【０１３２】
また、上記各実施の形態では下り回線の伝送方式としてＯＦＤＭ方式を一例に挙げたが、本発明において下り回線の伝送方式は特に限定されない。【０１３３】
また、上記各実施の形態では上り回線が周波数分割多重を用いており、ＲＢ１及びＲＢ２について同時に２つのユーザに割り当てる場合について説明したが、時間分割多重を用いたSlot1及びSlot2または、Symbol1及びSymbol2を用いて同時に２つのユーザに割り当てる場合についても同様である。さらに、コード分割多重、空間分割多重の場合についても同様に実施可能である。【０１３４】
また、上記各実施の形態では上り回線の伝送方式としてＤＦＴs（Discrete Fourier Transform spread）-ＦＤＭＡ(Frequency Division Multiplex Access)方式を一例に挙げたが、ユーザを周波数分割多重できる方式であれば、ＯＦＤＭ方式でもよいし、マルチキャリア方式でもよい。また、ユーザを時間分割多重、コード分割多重、空間分割多重する場合も実施可能であり、その場合にも、上り回線の伝送方式は特に限定されない。【０１３５】
また、応答信号は、受信品質を向上させるために、拡散送信、繰り返し送信等される場合があるが、この場合にも上記同様にして本発明を実施可能である。【０１３６】
また、割当情報は、制御情報や、グラントや、Grantと呼称されることもある。また、本発明は、割当情報にはＵＥＩＤおよびＣＲＣが付加されており、割当情報を受信した直後には、誤ったＲＢに送信する確率がとても低く、割当情報を受信していない場合（つまり割当情報を受信ミスした可能性のある場合）には、誤ったＲＢに送信する確率が比較的高いという点に着眼したものである。よって、割当情報を通知するチャネル名称や、割当情報を通知してから割当が反映されるまでの時間的遅延量は問わず、実施可能である。【０１３７】
また、上記実施の形態では、本発明をハードウェアで構成する場合を例にとって説明したが、本発明はソフトウェアで実現することも可能である。【０１３８】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【０１３９】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。【０１４０】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。【０１４１】
２００７年８月１３日出願の特願２００７−２１１１６１の日本出願に含まれる明細書、図面および要約書の開示内容は、すべて本願に援用される。
【産業上の利用可能性】
【０１４２】
本発明は、移動体通信システム等に適用することができる。
【図１】
2009022467.tif 000003
【図２】
2009022467.tif 000004
【図３】
2009022467.tif 000005
【図４】
2009022467.tif 000006
【図５】
2009022467.tif 000007
【図６】
2009022467.tif 000008
【図７】
2009022467.tif 000009
【図８】
2009022467.tif 000010
【図９】
2009022467.tif 000011
【図１０】
2009022467.tif 000012
【図１１】
2009022467.tif 000013
【図１２】
2009022467.tif 000014
【図１３】
2009022467.tif 000015
【図１４】
2009022467.tif 000016
【図１５】
2009022467.tif 000017
【図１６】
2009022467.tif 000018
【図１７】
2009022467.tif 000019
【図１８】
2009022467.tif 000020
【図１９】
2009022467.tif 000021
【図２０】
2009022467.tif 000022
【図２１】
2009022467.tif 000023
【図２２】
2009022467.tif 000024
【図２３】
2009022467.tif 000025
【図２４】
2009022467.tif 000026
【図２５】
2009022467.tif 000027
【図２６】
2009022467.tif 000028
【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
誤り検出を行って、応答信号を生成する誤り検出手段と、
複数のスクランブリングコードから１つを選択する選択手段と、
前記選択手段で選択されたスクランブリングコードを用いて応答信号をスクランブリングするスクランブリング手段と、
を具備する無線通信基地局装置。
【請求項２】
前記選択手段は、
前記応答信号が上り割当情報を送信した後の上り回線データ受信に対する応答信号である場合と、前記応答信号が上り割当情報を送信しない上り回線データ受信に対する応答信号である場合とで、異なるスクランブリングコードを選択する、
請求項１記載の無線通信基地局装置。
【請求項３】
前記選択手段は、
前記応答信号がPersistent Schedulingした上り回線データに対する応答信号である場合と、前記応答信号がDynamic Schedulingした上り回線データに対する応答信号である場合とで、異なるスクランブリングコードを選択する、
請求項１記載の無線通信基地局装置。
【請求項４】
前記選択手段は、
前記応答信号が上り割当情報を送信した後の上り回線データ受信に対する応答信号である場合と、前記応答信号がＮＡＣＫ情報を送信した後の上り回線データ受信に対する応答信号である場合とで、異なるスクランブリングコードを選択する、
請求項１記載の無線通信基地局装置。
【請求項５】
前記応答信号が上り割当情報を受信した後の上り回線データ送信に対する応答信号である場合と、前記応答信号が上り割当情報を受信しない上り回線データ送信に対する応答信号である場合とで、異なるスクランブリングコードを選択する選択手段と、
前記選択手段で選択されたスクランブリングコードを用いて応答信号をデスクランブリングするデスクランブリング手段と、
を具備する無線通信移動局装置。
【請求項６】
ＡＲＱにおける応答信号のスクランブリング方法であって、
上り割当情報によって上り送信されたデータに対する応答信号と、上り割当情報を用いずに上り送信されたデータに対する応答信号とで、異なるスクランブリングコードを用いる、
スクランブリング方法。
【手続補正２】
【補正対象書類名】明細書
【補正対象項目名】全文
【補正方法】変更
【補正の内容】
【発明の詳細な説明】
【技術分野】
【０００１】
本発明は、無線通信基地局装置、無線通信移動局装置およびＡＲＱにおける応答信号のスクランブリング方法に関する。
【背景技術】
【０００２】
近年のインターネットトラフィックの増大とともに、移動体通信における高速パケット伝送技術への要求が高まっており、それを実現する伝送方式の１つとしてＯＦＤＭ(Orthogonal Frequency Division Multiplex)方式が検討されている。ＯＦＤＭ方式は、ＣＰ(Cyclic Prefix)を備えるデータ列を複数のサブキャリアを用いて並列に伝送することにより、マルチパス干渉による特性劣化を低減することができる。また、ＯＦＤＭ方式は、誤り訂正符号を適用することにより、周波数選択性フェージングへの耐性を備えている。
【０００３】
ＯＦＤＭ方式においては、様々な下りチャネルが周波数分割多重され、さらに、複数のＯＦＤＭシンボルを１ＴＴＩ（Transmission Time Interval）とすることで、時間分割多重される。下りチャネルの制御チャネルとして、ＡＣＫ(Acknowledgment)／ＮＡＣＫ(Negative Acknowledgment)チャネルおよび割当情報通知チャネルがある。
【０００４】
応答信号用チャネルとは、上りパケット伝送において、無線通信基地局装置でのパケット受信ＯＫ（ＡＣＫ）及びＮＧ（ＮＡＣＫ）を無線通信移動局装置にフィードバックするためのチャネルである。すなわち、ＯＦＤＭ方式においては、上り回線で無線通信移動局装置から無線通信基地局装置へ伝送される上り回線データに対してＡＲＱ（Automatic Repeat Request）が適用される。以下、無線通信移動局装置を単に移動局、またはＵＥ（User Equipment）と称し、無線通信基地局装置を単に基地局、またはＢＳ(Base Station)と称す。
【０００５】
最近、下り回線の通信リソースを効率よく使用するために、応答信号用チャネルを複数の移動局で共有して使用するＡＲＱについて検討されている。また、このＡＲＱでは、基地局は上り回線データの受信後、所定時間経過後に応答信号を移動局へフィードバックし、移動局は、基地局からＮＡＣＫがフィードバックされた場合には、ＮＡＣＫ受信後、所定時間経過後に上り回線データを基地局へ再送する。このＡＲＱでは、応答信号に、その応答信号がどの無線通信移動局宛のものであるかを示す情報は付加されない（非特許文献１参照）。
【０００６】
また、割当情報通知チャネルで通知される上りＲＢの番号と応答信号用チャネル番号とを１対１で対応づけることにより、割当情報通知チャネルにおいて、応答信号用チャネル番号を通知せずとも、応答信号用チャネル番号を移動局と基地局間で共有することができる。
【０００７】
割当情報通知チャネルとは、ＯＦＤＭ方式の下りチャネルにおいて応答信号用チャネルと異なるもう１種の制御チャネルであり、移動局が上りデータを送信する際に用いる周波数帯域や変調方式などの情報を通知するためのチャネルである。移動局毎の割当情報には、どの移動局宛の割当情報であるかを示す移動局ＩＤ情報が含まれる。例えば、割当情報の通知先の移動局のＩＤ番号でマスキングされたＣＲＣビットが移動局ＩＤ情報として割当情報に含まれる。各移動局は、自局のＩＤ番号でデマスキングすることによりＣＲＣ＝ＯＫ（誤り無し）となった割当情報を自局宛の割当情報と判定する。このようにして、移動局は、割当情報通知チャネルが自局宛の割当情報であるか否かをブラインド判定する。
【０００８】
一方、上りデータチャネルの送信ＲＢ(Resource Block)のスケジューリング方法として、ＰＳＡ（Persistent Scheduling Allocation）とＤＳＡ（Dynamic Scheduling Allocation）が検討されている。ＰＳＡは、ＶｏＩＰなどの低レートデータを上り送信する移動局に適用される。ＰＳＡ移動局は、予め割り当てられたＲＢを用いて、定期的に上り送信を行なう。ＤＳＡは、周波数スケジューリングを用いて、適応的に受信特性の良いＲＢを割り当て上り送信する方法であり、ＴＴＩ毎に上り送信のＲＢを割当情報通知チャネルにより通知される。
【非特許文献１】3GPP RAN WG1 Meeting document、 R1-070245、 “Modifications of Uplink Synchronous HARQ scheme”、 LG Electronics
【発明の開示】
【発明が解決しようとする課題】
【０００９】
ＰＳＡ移動局を予め割り当てられたＲＢ以外で上り送信させたい場合には、基地局はＰＳＡ移動局に対して、別途割当情報通知チャネルで新たな上り送信用ＲＢを通知する。例えば、ＰＳＡ移動局に予め割り当てられたＲＢ１をＤＳＡ移動局に割り当て、新たなＲＢ２をＰＳＡ移動局に割り当てる場合がある。ただし、移動局は割当情報通知チャネルを受信ミスしてしまう場合がある。なお、ＰＳＡ移動局は、割当情報通知チャネルを受信ミスした場合には、予め割り当てられたＲＢを用いて上り送信を続けるため、ＰＳＡ移動局からの上り回線データとＤＳＡ移動局の上り回線データとの衝突が発生してしまう。
【００１０】
図１は、このようなＰＳＡ移動局の上り送信とＤＳＡ移動局の上り送信との衝突を示す図である。以下の説明では、基地局は上り回線データの受信後、１ＴＴＩ経過後に応答信号を移動局へフィードバックし、移動局は、ＮＡＣＫ受信後、１ＴＴＩ経過後に上り回線データを基地局へ再送するものとする。なお、時刻ｔ１の前に、ＰＳＡ移動局は予めＲＢ１を割り当てられていたとする。
【００１１】
時刻ｔ１において、基地局は、ＲＢ２をＰＳＡ移動局に割り当てることを示す割当情報をＰＳＡ移動局宛に送信するとともに、ＲＢ１をＤＳＡ移動局に割り当てることを示す割当情報をＤＳＡ移動局宛に送信する。これは、例えば、ＤＳＡ移動局におけるチャネル品質が、ＲＢ２よりもＲＢ１の方が良い場合に、ＤＳＡ移動局をＲＢ１に周波数スケジューリングする場合に起こりうる。
【００１２】
ここで、ＰＳＡ移動局が、時刻ｔ２で割当情報通知チャネルを受信ミスしたとする。よって、ＰＳＡ移動局は、時刻ｔ１の前に予め割り当てられたＲＢ１を用いて時刻ｔ３で新たな上り回線データを初回送信する。
【００１３】
ＤＳＡ移動局は、時刻ｔ２で割当情報通知チャネルの受信に成功し、時刻ｔ３で割り当てられたＲＢ１を用いて新たな上り回線データを初回送信する。
【００１４】
このようにＰＳＡ移動局が時刻ｔ２で割当情報通知チャネルの受信をミスした場合、ＰＳＡ移動局とＤＳＡ移動局とは時刻ｔ３で両方ともＲＢ１を用いて各自の上り回線データを送信するため、衝突が発生してしまう。その結果、時刻ｔ４において基地局でのＤＳＡ移動局の上り回線データの受信において、ＰＳＡ移動局の上り回線データの干渉を受けてしまい、高い確率で受信ＮＧとなる。そして、基地局は、ＲＢ１に対応づけられた応答信号番号１で、時刻ｔ５にＮＡＣＫをフィードバックする。更に、基地局は、ＲＢ２でＰＳＡ移動局の上りデータ受信を行なうが、ＰＳＡ移動局はＲＢ２で送信していないために、ＣＲＣ結果はＮＧとなる。従って、時刻ｔ５で基地局は、ＲＢ２に対応づけられた応答信号番号２でＮＡＣＫをフィードバックする。
【００１５】
ＰＳＡ移動局は、時刻ｔ３でＲＢ１を用いて上り回線データを送信したため、時刻t５で基地局は、ＲＢ１に対応付けられた応答信号用チャネル番号１を用いて応答信号を送信するものと想定し、応答信号用チャネル番号１でフィードバックされたＮＡＣＫを自局宛のものであると判断してしまう。よって、ＰＳＡ移動局は、時刻ｔ７で上り回線データを再送（１回目）する。
【００１６】
一方、ＤＳＡ移動局も、時刻ｔ３でＲＢ１を用いて上り回線データを送信したため、基地局から時刻ｔ５でフィードバックされたＮＡＣＫを自局宛のものであると判断して受信する。よって、ＤＳＡ移動局も、時刻ｔ７で上り回線データを再送（１回目）する。
【００１７】
以上のことから、ＰＳＡ移動局からの再送データとＤＳＡ移動局からの再送データとの衝突が発生し、その結果、基地局でのＣＲＣ結果は高い確率でＮＧ（誤り有り）となる。よって、基地局は、時刻ｔ９でＮＡＣＫをフィードバックする。
【００１８】
以降、ＰＳＡ移動局およびＤＳＡ移動局からの上り回線データの送信、上り回線データ同士の衝突、ＣＲＣ＝ＮＧ（誤り有り）、ＮＡＣＫのフィードバック、ＰＳＡ移動局およびＤＳＡ移動局からの上り回線データの送信、という一連の処理が繰り返されてしまい、ＡＲＱの制御が正常に動作しなくなってしまう。
【００１９】
このように、応答信号用チャネルを複数の移動局で共有して使用するＡＲＱでは、ＰＳＡ移動局が割当情報通知チャネルを受信ミスし、ＰＳＡ移動局からの上り回線データと、ＤＳＡ移動局からの上り回線データとが同一ＲＢにおいて衝突してしまうと、ＡＲＱの制御が破綻してしまうという問題がある。
【００２０】
本発明の目的は、応答信号用チャネルを複数の移動局で共有して使用するＡＲＱにおいて、ＰＳＡ移動局が割当情報通知チャネルを受信ミスし、ＰＳＡ移動局からの上り回線データと、ＤＳＡ移動局からの上り回線データとが同一ＲＢにおいて衝突した場合でも、ＡＲＱ制御の破綻を防ぐことができる基地局、移動局およびＡＲＱにおける応答信号のスクランブリング方法を提供することである。
【課題を解決するための手段】
【００２１】
本発明の基地局は誤り検出を行って、応答信号を生成する誤り検出手段と、複数のスクランブリングコードから１つを選択する選択手段と、前記選択手段で選択されたスクランブリングコードを用いて応答信号をスクランブリングするスクランブリング手段と、を具備する構成を採る。
【００２２】
本発明のスクランブリング方法は、ＡＲＱにおける応答信号のスクランブリング方法であって、上り割当情報によって上り送信されたデータに対する応答信号と、上り割当情報を用いずに上り送信されたデータに対する応答信号とで、異なるスクランブリングコードを用いるようにした。
【発明の効果】
【００２３】
本発明によれば、応答信号用チャネルを複数の移動局で共有して使用するＡＲＱにおいて、ＰＳＡ移動局が割当情報通知チャネルの受信をミスし、ＰＳＡ移動局からの上り回線データと、ＤＳＡ移動局からの上り回線データとが衝突した場合でも、ＡＲＱ制御の破綻を防ぐことができる。
【発明を実施するための最良の形態】
【００２４】
以下、本発明の実施の形態について、添付図面を参照して詳細に説明する。
【００２５】
（実施の形態１）
本実施の形態に係る基地局１００の構成を図２に示し、本実施の形態に係る移動局２００の構成を図３に示す。
【００２６】
なお、説明が煩雑になることを避けるために、図２では、本発明と密接に関連する上り回線データの受信、および、その上り回線データに対する応答信号の下り回線での送信に係わる構成部を示し、下り回線データの送信に係わる構成部の図示および説明を省略する。同様に、図３では、本発明と密接に関連する上り回線データの送信、および、その上り回線データに対する応答信号の下り回線での受信に係わる構成部を示し、下り回線データの受信に係わる構成部の図示および説明を省略する。
【００２７】
図２に示す基地局１００において、割当情報生成部１０１は、上り回線のデータチャネルをどの移動局に割り当てるかを示す割当情報を生成して符号化部１０２およびデータ抽出部１１８に出力する。また、割当情報生成部１０１は、生成した割当情報の通知先の移動局ＩＤ番号を符号化部１０２に出力し、通知先の移動局の上り回線のデータチャネルのスケジューリング方法、すなわち、ＰＳＡまたはＤＳＡを示す情報をスクランブリングコード選択部１０７に出力する。
【００２８】
符号化部１０２は、割当情報を符号化して変調部１０３に出力する。この際、符号化部１０２は、割当情報から複数のＣＲＣビットを生成し、それら複数のＣＲＣビットを割当情報生成部１０１から入力される移動局ＩＤ番号によってマスキングする。よって、割当情報には、その割当情報の通知先の移動局のＩＤ番号でマスキングされたＣＲＣビットが
移動局ＩＤ情報として含まれる。
【００２９】
変調部１０３は、符号化後の割当情報を変調して複数の割当情報シンボルを生成し、Ｓ／Ｐ部１０４に出力する。
【００３０】
Ｓ／Ｐ部１０４は、変調部１０３から直列に入力される複数の割当情報シンボルを並列に変換してマッピング部１１０に出力する。
【００３１】
変調部１０５は、上り回線データに対する応答信号（ＡＣＫまたはＮＡＣＫ）に対して変調処理を行い、変調処理後の応答信号をレピティション部１０６に出力する。
【００３２】
レピティション部１０６は、変調部１０５から入力される応答信号を複製（レピティション）して同一の複数の応答信号を得て、それら複数の応答信号をスクランブリング部１０８に出力する。
【００３３】
スクランブリングコード選択部１０７は、割当情報生成部１０１から上り回線のデータチャネルのスケジューリング方法を受け取り、ＰＳＡ移動局またはＤＳＡ移動局のスクランブリングコードを選択し、スクランブリング部１０８に出力する。
【００３４】
スクランブリング部１０８は、同一の複数の応答信号をスクランブリングコード選択部１０７から入力されるスクランブリングコードでスクランブリングし、スクランブリング後の複数の応答信号をＳ／Ｐ部１０９に出力する。
【００３５】
スクランブリングコード選択部１０７における選択処理、およびスクランブリング部１０８におけるスクランブリング処理の詳細については後述する。
【００３６】
Ｓ／Ｐ部１０９は、スクランブリング部１０８から直列に入力される複数の応答信号を並列に変換してマッピング部１１０に出力する。
【００３７】
マッピング部１１０は、割当情報シンボルおよび応答信号を、ＯＦＤＭシンボルを構成する複数のサブキャリアのいずれかにマッピングしてＩＦＦＴ（Inverse Fast Fourier Transform）部１１１に出力する。
【００３８】
ＩＦＦＴ部１１１は、複数のサブキャリアのいずれかにマッピングされた割当情報シンボルおよび応答信号に対してＩＦＦＴを行ってＯＦＤＭシンボルを生成し、ＣＰ（Cyclic
Prefix）付加部１１２に出力する。
【００３９】
ＣＰ付加部１１２は、ＯＦＤＭシンボルの後尾部分と同じ信号をＣＰとしてＯＦＤＭシンボルの先頭に付加する。
【００４０】
無線送信部１１３は、ＣＰ付加後のＯＦＤＭシンボルに対しＤ／Ａ変換、増幅およびアップコンバート等の送信処理を行ってアンテナ１１４から移動局２００へ送信する。
【００４１】
一方、無線受信部１１５は、移動局２００から送信された上り回線データをアンテナ１１４を介して受信し、この上り回線データに対しダウンコンバート、Ａ／Ｄ変換等の受信処理を行う。
【００４２】
ＣＰ除去部１１６は、Ａ／Ｄ変換された上り回線データに付加されたＣＰを除去する。
【００４３】
ＤＦＴ(Discrete Fourier Transform)部１１７は、ＣＰが除去された上り回線データを
周波数領域のデータに変換する。
【００４４】
データ抽出部１１８は、割当情報生成部１０１から入力される割当情報にて、上り回線のデータチャネルとして割り当てられたＲＢ番号を受け取り、データ抽出を行う。抽出されたデータは、チャネル補償部１１９でチャネル補償が施され、さらに、ＩＤＦＴ(Discrete Fourier Transform)部１２０で時間領域のデータに戻される。
【００４５】
復調部１２１は、時間領域の上り回線データを復調し、復調後の上り回線データを復号部１２２に出力する。
【００４６】
復号部１２２は、復調後の上り回線データを復号し、復号後の上り回線データをＣＲＣ部１２３に出力する。
【００４７】
ＣＲＣ部１２３は、復号後の上り回線データに対してＣＲＣを用いた誤り検出を行って、ＣＲＣ＝ＯＫ（誤り無し）の場合はＡＣＫを、ＣＲＣ＝ＮＧ（誤り有り）の場合はＮＡＣＫを応答信号として生成し、生成した応答信号を変調部１０５に出力する。また、ＣＲＣ部１２３は、ＣＲＣ＝ＯＫ（誤り無し）の場合、復号後の上り回線データを受信データとして出力する。
【００４８】
一方、図３に示す移動局２００において、無線受信部２０２は、基地局１００から送信されたＯＦＤＭシンボルをアンテナ２０１を介して受信し、このＯＦＤＭシンボルに対しダウンコンバート、Ａ／Ｄ変換等の受信処理を行う。
【００４９】
ＣＰ除去部２０３は、受信処理後のＯＦＤＭシンボルからＣＰを除去する。
【００５０】
ＦＦＴ（Fast Fourier Transform）部２０４は、ＣＰ除去後のＯＦＤＭシンボルに対してＦＦＴを行って割当情報シンボルおよび応答信号を得て、それらを分離部２０５に出力する。
【００５１】
分離部２０５は、割当情報シンボルと応答信号とを分離して、割当情報シンボルをＰ／Ｓ部２０６に出力し、応答信号をＰ／Ｓ部２１０に出力する。
【００５２】
Ｐ／Ｓ部２０６は、分離部２０５から並列に入力される複数の割当情報シンボルを直列に変換して復調部２０７に出力する。
【００５３】
復調部２０７は、割当情報シンボルを復調し、復調後の割当情報を復号部２０８に出力する。
【００５４】
復号部２０８は、復調後の割当情報を復号し、復号後の割当情報を判定部２０９に出力する。
【００５５】
判定部２０９は、復号部２０８から入力された割当情報通知チャネルが自局宛の割当情報であるか否かをブラインド判定する。判定部２０９は、復号部２０８から入力された割当情報を自局のＩＤ番号でデマスキングすることによりＣＲＣ＝ＯＫ（誤り無し）となった割当情報通知チャネルを自局宛の割当情報と判定する。そして、判定部２０９は、ＣＲＣ＝ＯＫ（誤り無し）となった割当情報（すなわち、自局宛の割当情報）を送信制御部２１４に出力する。
【００５６】
Ｐ／Ｓ部２１０は、分離部２０５から並列に入力される複数の応答信号を直列に変換してデスクランブリング部２１１に出力する。
【００５７】
デスクランブリング部２１１は、Ｐ／Ｓ部２１０から入力される複数の応答信号を自局のスケジューリング方式に対応するスクランブリングコード（すなわち、ＰＳＡまたはＤＳＡに対応するスクランブリングコード）でデスクランブリングし、デスクランブリング後の複数の応答信号を合成部２１２に出力する。
【００５８】
合成部２１２は、デスクランブリング後の複数の応答信号を合成し、合成後の応答信号を復調部２１３に出力する。
【００５９】
なお、デスクランブリング部２１１でのデスクランブリング処理の詳細および合成部２１２での合成処理の詳細については後述する。
【００６０】
復調部２１３は、合成後の応答信号に対して復調処理を行い、復調処理後の信号がＡＣＫ、ＮＡＣＫまたはＤＴＸ（Discontinuous Transmission）のいずれであるかを判定する。そして、復調部２１３は、判定結果を再送制御部２１６に出力する。
【００６１】
送信制御部２１４は、判定部２０９から得られた割当情報を元に、送信データをパケット化し、符号化部２１５に出力する。
【００６２】
符号化部２１５は、送信データを符号化して再送制御部２１６に出力する。
【００６３】
再送制御部２１６は、初回送信時には、符号化後の送信データを保持するとともに変調部２１７に出力する。再送制御部２１６は、判定結果として復調部２１３からＡＣＫが入力されるまで送信データを保持し、ＡＣＫが入力された場合は送信データを廃棄する。また、再送制御部２１６は、判定結果として復調部２１３からＮＡＣＫが入力された場合、すなわち、再送時には、保持している送信データを再び変調部２１７に出力する。また、再送制御部２１６は、判定結果として復調部２１３からＤＴＸが入力された場合には、送信データを保持したまま、上り送信を停止する。
【００６４】
変調部２１７は、再送制御部２１６から入力される符号化後の送信データを変調する。
【００６５】
ＤＦＴ部２１８は、変調後の送信データを周波数領域データに変換し、マッピング部２１９は、判定部２０９で得られた割当情報が示す上り送信ＲＢ番号に、周波数領域の送信データをマッピングする。
【００６６】
ＩＤＦＴ部２２０は、上り送信ＲＢにマッピングされた周波数領域の送信データを時間領域データに変換し、ＣＰ付加部２２１に出力する。
【００６７】
ＣＰ付加部２２１は、時間領域の送信データの後尾部分と同じ信号をＣＰとして送信データの先頭に付加する。
【００６８】
無線送信部２２２は、ＣＰが付加された送信データに対しＤ／Ａ変換、増幅およびアップコンバート等の送信処理を行ってアンテナ２０１から基地局１００へ送信する。このようにして送信されるデータが上り回線データとなる。
【００６９】
図３に示す移動局２００の構成はＤＳＡ移動局にもＰＳＡ移動局にも適用できる。ただし、移動局２００がＰＳＡ移動局であって基地局１００から新たなＲＢを割り当てられない場合には、ＦＦＴ部２０４において割当情報シンボルは得られず応答信号のみが得られる。この場合には、ＰＳＡ移動局は、予め割当られたＲＢ番号を用いて上り送信する。
【００７０】
次いで、基地局１００のスクランブリング部１０８でのスクランブリング処理、移動局２００のデスクランブリング部２１１でのデスクランブリング処理、および、移動局２００の合成部２１２での合成処理について、図４に示すシーケンス例に従って詳しく説明する。
【００７１】
ここでは、ＰＳＡ移動局のスクランブリングコード（ＰＳＡ移動局に固有のスクランブリングコード）をＳＣ＃１（Ｃ１、Ｃ２）＝（１、１）とし、ＤＳＡ移動局のスクランブリングコード（ＤＳＡ移動局に固有のスクランブリングコード）をＳＣ＃２（Ｃ１、Ｃ２）＝（１、−１）とする。なお、時刻ｔ１の前に、ＰＳＡ移動局はＲＢ１が予め割り当てられていたものとする。
【００７２】
また、ＰＳＡ移動局およびＤＳＡ移動局の双方が図３に示す構成を採る。
【００７３】
また、基地局１００の変調部１０５おけるコンスタレーションパターン（応答信号のコンスタレーションパターン）を図５に示すものとする。すなわち、変調部１０５は、応答信号に対しＢＰＳＫの変調を行うものとする。
【００７４】
また、基地局１００のレピティション部１０６でのレピティション・ファクターをＲＦ＝２とし、レピティション部１０６が２倍レピティションを行うものとする。よって、レピティション部１０６では、同一の２つの応答信号が得られる。
【００７５】
図４において、まず、基地局１００は、時刻ｔ１で、上り回線のデータチャネルのＲＢ２をＰＳＡ移動局に割り当てることを示す割当情報と、上り回線のデータチャネルのＲＢ１をＤＳＡ移動局に割り当てることを示す割当情報とを送信する。
【００７６】
ＰＳＡ移動局は、時刻ｔ２で基地局１００からの割当情報通知チャネルを受信ミスしてしまったものとする。よって、ＰＳＡ移動局は、時刻ｔ１前に予め割り当てられたＲＢ１を用いて時刻ｔ３で上り回線データを初回送信する。
【００７７】
一方、ＤＳＡ移動局は、時刻ｔ２で基地局１００からの割当情報通知チャネルを正しく受信できたとする。よって、ＤＳＡ移動局は、時刻ｔ３でＲＢ１を用いて上り回線データを初回送信する。
【００７８】
よって、時刻ｔ４では、ＰＳＡ移動局からの初回送信データとＤＳＡ移動局からの初回送信データとがＲＢ１において送信され、衝突が発生する。その結果、ＲＢ１でのＤＳＡ移動局の上り回線データがＰＳＡ移動局の上り回線データの干渉をうけるため、基地局１００は、高い確率で受信ＮＧとなる。よって、基地局１００は、ＲＢ１に対応付けられた応答信号用チャネル番号１を用いて、時刻ｔ５でＮＡＣＫをフィードバックする。この際、スクランブリングコード選択部１０７は、ＤＳＡの移動局のスクランブリングコードＳＣ＃２（Ｃ１、Ｃ２）を選択する。よって、スクランブリング部１０８は、図６に示すように、レピティション部１０６から出力される２つのＮＡＣＫシンボル（Ｓ１、Ｓ２）をＤＳＡ移動局のスクランブリングコードＳＣ＃２（Ｃ１、Ｃ２）でスクランブリングする。つまり、スクランブリング部１０８は、２つのＮＡＣＫシンボルＳ１、Ｓ２それぞれに１、−１を乗算する。よって、基地局１００からフィードバックされる応答信号は図６に示すように、Ｓ１×１、Ｓ２×−１となる。
【００７９】
ＰＳＡ移動局は、時刻ｔ３でＲＢ１を用いて上り回線データを初回送信しているため、基地局１００から時刻ｔ５でＲＢ１に対応付けられた応答信号用チャネル番号１の応答信号を自局宛のものであると判断して受信する。この際、ＰＳＡ移動局のデスクランブリング部２１１は、図７に示すように、Ｐ／Ｓ部２１０から出力される２つの応答信号、すな
わち、図６に示すＳ１×１、Ｓ２×−１を、自局用のスクランブリングコードＳＣ＃１でデスクランブリングする。つまり、ＰＳＡ移動局のデスクランブリング部２１１は、２つのシンボルＳ１×１、Ｓ２×−１それぞれを１、１で除算する。よって、ＰＳＡ移動局のデスクランブリング部２１１では、図７に示すような信号点配置のＳ１、−Ｓ２が得られる。
【００８０】
次いで、ＰＳＡ移動局の合成部２１２は、デスクランブリング部２１１から入力されるＳ１、−Ｓ２を合成する。よって、合成後のシンボルは、図７に示すように、（Ｉ、Ｑ）＝（０、０）の信号点に配置される。そして、ＰＳＡ移動局の復調部２１３は、この合成後のシンボルを図８に示す判定軸に従って判定する。よって、ＰＳＡ移動局は、基地局１００からの応答信号（ＮＡＣＫ）をＤＴＸと判定する。また、ＰＳＡ移動局は、応答信号がＤＴＸであると判定する場合、時刻ｔ３で上り送信に用いたＲＢが他局に割り当てられたＲＢであり、他局に割り当てられたＲＢを誤って用いたと判断する。よって、ＰＳＡ移動局は、時刻ｔ７で上り回線データの再送を行わない。つまり、ＰＳＡ移動局は、上り回線データの誤った送信を停止することができる。
【００８１】
一方、ＤＳＡ移動局も、時刻ｔ３でＲＢ１を用いて上り回線データを初回送信しているため、基地局１００から時刻ｔ５でＲＢ１に対応付けられた応答信号用チャネル番号１の応答信号を自局宛のものであると判断して受信する。この際、ＤＳＡ移動局のデスクランブリング部２１１は、図９に示すように、Ｐ／Ｓ部２１０から出力される２つの応答信号、すなわち、図６に示すＳ１×１、Ｓ２×−１を、自局用のスクランブリングコードＳＣ＃２でデスクランブリングする。つまり、ＤＳＡ移動局のデスクランブリング部２１１は、２つのシンボルＳ１×１、Ｓ２×−１それぞれを１、−１で除算する。よって、ＤＳＡ移動局のデスクランブリング部２１１では、図９に示すような信号点配置のＳ１、Ｓ２が得られる。
【００８２】
次いで、ＤＳＡ移動局の合成部２１２は、デスクランブリング部２１１から入力されるＳ１、Ｓ２を合成する。よって、合成後のシンボルは、図９に示すように、基地局１００におけるＮＡＣＫの信号点（図５）に配置される。そして、ＤＳＡ移動局の復調部２１３は、この合成後のシンボルをＰＳＡ移動局の復調部２１３同様、図８に示す判定軸に従って判定する。よって、ＤＳＡ移動局は、基地局１００からの自局宛の応答信号をＮＡＣＫと判定する。よって、ＤＳＡ移動局は、時刻ｔ７で上り回線データを再送（１回目）する。
【００８３】
よって、時刻ｔ８では、ＰＳＡ移動局からの上り回線データとＤＳＡ移動局からの上り回線データとの衝突は発生しない。
【００８４】
このように、本実施の形態によれば、応答信号用チャネルを複数の移動局で共有してＡＲＱ制御を行う移動通信システムにおいて、応答信号用チャネルにおいて、ＤＳＡ移動局またはＰＳＡ移動局個別のスクランブリングコードを設けた。そのため、ＰＳＡ移動局が割当情報通知チャネルの受信をミスし、ＰＳＡ移動局からの上り回線データと、ＤＳＡ移動局からの上り回線データとが衝突し、ＰＳＡ移動局が誤ってＤＳＡ移動局向けの応答信号用チャネルを受信した場合でも、ＰＳＡ移動局は、自分宛ての応答信号用チャネルではないことを判別し、誤ったＲＢでの上り送信を停止することができ、ＡＲＱ制御の破綻を防ぐことができる。
【００８５】
なお、本実施の形態では、ＰＳＡ移動局およびＤＳＡ移動局のいずれもが、受信時にＡＣＫ、ＮＡＣＫ、ＤＴＸの３値判定を実施する場合を例にとって説明したが、本発明はこれに限定されず、ＰＳＡ移動局のみが３値判定を実施しても良い。
【００８６】
また、ＰＳＡ移動局が３値判定を実施する場合には、２値判定を行うよりも応答信号用チャネルにおいて判定誤りが発生しやすくなる。よって、ＰＳＡ移動局が３値判定を行うタイミングの応答信号用チャネルは、確実に送信するのが好ましい。確実な送信方法としては、例えば、送信電力を増加したり、レピティション数を増加したり、またはＭＣＳレベルを低下するなどの方法が考えられる。
【００８７】
また、本実施の形態では、応答信号に対しＢＰＳＫ変調を行う場合を例にとって説明したが、本発明はこれに限定されず、ＮＡＣＫ信号のみを送信するＯＯＫ(On Off Keying)変調を行っても良く、詳細については後述する。
【００８８】
また、本実施の形態に示した基地局、移動局、およびスクランブリング方法は、割当情報通知チャネルを受信ミスしたＰＳＡ移動局からの上り回線データと、ＤＳＡ移動局からの上り回線データとが衝突した場合だけではなく、ＤＳＡ移動局から再送される上り回線データと、他のＤＳＡ移動局から初回送信される上り回線データとが衝突した場合にも、ＡＲＱ制御の破綻を防ぐことができ、詳細については後述する。
【００８９】
（実施の形態２）
本発明の実施の形態２は、基地局において図１０に示すようなコンスタレーションパターンにより応答信号をＯＯＫ変調する場合について説明する。
【００９０】
図１１は、本発明の実施の形態にかかる基地局３００の構成を示すブロック図である。なお、基地局３００は、実施の形態１に係る基地局１００（図２）と基本的に同様な構成をとり、基本的に同様な動作を行う。ここでは、基地局３００と基地局１００との相違点のみについて説明する。
【００９１】
基地局３００の割当情報生成部３０１、変調部３０５と、基地局１００の割当情報生成部１０１、変調部１０５とは処理の一部に相違点があり、それを示すために異なる符号を付す。
【００９２】
変調部３０５は、応答信号（ＡＣＫ、またはＮＡＣＫ）に対してＯＯＫ変調を行う点で、変調部１０５と相違する。
【００９３】
割当情報生成部３０１は、割当情報通知チャネルにＮＤＩ(New Data Indicator)を付ける点が割当情報生成部１０１と相違する。
【００９４】
本実施の形態に係る移動局は、実施の形態１に係る移動局２００（図３参照）と基本的に同様な構成を備えて基本的に同様な処理を行うため、詳細な説明を省略する。
【００９５】
本実施の形態において、基地局は応答信号に対しＯＯＫ変調を行い、移動局はＡＣＫ、ＮＡＣＫの２値判定を行なう。すなわち、ＰＳＡ移動局が割当情報通知チャネルを受信ミスし、ＰＳＡ移動局の初回送信に対する応答信号が（Ｉ、Ｑ）＝（０、０）の信号点に配置される場合、ＰＳＡ移動局はＡＣＫを受信したと判定する。しかし、ここで、ＰＳＡ移動局が、ＲＢ１に送信した上り回線データが基地局において受信ＯＫとなったと誤って判断すると、基地局では、実際に受信できていないために、上位レイヤの再送が発生してしまう。それを防止するために、基地局は次の割当情報通知チャネルを送信する際にＮＤＩを用いて、前回送信した上り回線データと同じデータを送信するように通知する。これによって、ＰＳＡ移動局は、受信したＡＣＫ信号は他の移動局向けであり、割当情報通知チャネルの受信ミスであったと判断することができる。そしてＰＳＡ移動局は再度同じデータを上り送信する。このような処理を図１２〜１４を用いて説明する。
【００９６】
図１２は、本実施の形態に係る基地局および移動局の処理を示すシーケンス図である。
【００９７】
図１２は図４と基本的に同様であり、ここでは相違点のみを説明する。図１２に示す時刻ｔ５で、基地局からＮＡＣＫを送信する際、基地局は図１３に示すように、２つのＮＡＣＫシンボル（Ｓ１、Ｓ２）をＤＳＡ移動局のスクランブリングコードＳＣ＃２（Ｃ１、Ｃ２）＝（１、−１）でスクランブリングし、得られる応答信号Ｓ１×１、Ｓ２×−１を送信する。時刻ｔ７において、ＰＳＡ移動局は受信した２つの応答信号Ｓ１×１、Ｓ２×−１に対して、図１４に示すように、自局のスクランブリングコードＳＣ＃１＝（１、１）でデスクランブリングおよび合成し、（Ｉ、Ｑ）＝（０、０）の信号点に配置される合成シンボルを得る。ＰＳＡ移動局はこの合成信号（ＡＣＫ）に基づき、送信を停止する。一方、時刻ｔ７において、ＤＳＡ移動局は受信した２つの応答信号Ｓ１×１、Ｓ２×−１に対して、図１５に示すように、自局のスクランブリングコードＳＣ＃２＝（１、−１）でデスクランブリングおよび合成し、ＮＡＣＫの合成シンボルを得る（図１０参照）。ＤＳＡ移動局はこの合成信号（ＮＡＣＫ）に基づき再送を行う。そして、時刻ｔ９において、基地局は割当情報通知チャネル（ＲＢ２での上り送信を通知する）の送信の際に、あわせてＮＤＩを通知する。このとき、ＮＤＩとしては「０」を送信する。ＮＤＩが「０」の場合には、前回送信した上り回線データを再度送信する命令であり、ＮＤＩが「１」の場合には、新たな上り回線データを初回送信する命令である。割当情報を受信したＰＳＡ移動局は、ＮＤＩを読み「０」であることから、時刻ｔ７で受信したＡＣＫ信号が他の移動局宛てであったと認識し、再度同じデータを上り送信する。
【００９８】
このように、本実施の形態によれば、基地局において応答信号に対しＯＯＫ変調を行う場合、ＰＳＡ移動局は、自分当ての応答信号用チャネルではない場合に、ＡＣＫ信号と判断し上り送信を停止するため、ＡＲＱ制御の破綻を防ぐことが出来る。また、基地局は次の割当情報ととともに、送信を停止したＰＳＡ移動局に対してＮＤＩ（＝０）を送信するため、ＰＳＡ移動局は前回の上り送信の結果がＡＣＫではなく、割当情報を受信ミスしたことを認識することができ、同じデータの再送を行うことが出来る。
【００９９】
（実施の形態３）
本発明の実施の形態３では、ＤＳＡ移動局から再送される上り回線データと、他のＤＳＡ移動局から初回送信される上り回線データとが衝突した場合に、ＡＲＱ制御の破綻を防ぐことができる基地局、移動局、およびスクランブリング方法について説明する。
【０１００】
図１６は、ＤＳＡ移動局から再送される上り回線データと、他のＤＳＡ移動局から初回送信される上り回線データとの衝突を示す図である。なお、図１６は図１と基本的に同様であるため、ここでは、図１６と図１との相違点のみについて説明する。
【０１０１】
図１においては、時刻ｔ１の前に、ＰＳＡ移動局は予め割り当てられたＲＢ１を用いて上り送信を行い、時刻ｔ１で基地局からの割当情報（ＲＢ２）を受信ミスした場合に、時刻ｔ３で続けてＲＢ１を用いて上り送信を行う。これに類似して、図１６においては、時刻ｔ１の前に、ＤＳＡ移動局１は割当情報（ＲＢ１）を受信し、ＲＢ１を用いて初回送信を行い、時刻ｔ１で基地局からの割当情報（ＲＢ２）を受信ミスした場合に、時刻ｔ３で続けてＲＢ１を用いて１回目再送を行う。
【０１０２】
図１６と図１との時刻１以降のシーケンスは同様である。すなわち、再送を行っていたＤＳＡ移動局１が割当情報を受信ミスしてしまうと、ＤＳＡ移動局１の上り回線データとＤＳＡ移動局２の上り回線データとが衝突してしまい、ＡＲＱの制御が破綻してしまう。
【０１０３】
図１６に示すような問題を解決するために、本実施の形態に係る基地局４００（図１７参照）は、実施の形態１に係る基地局１００（図２）と基本的に同様な構成をとり、基本
的に同様な動作を行う。ここでは、基地局４００と基地局１００との相違点のみについて説明する。
【０１０４】
基地局４００のスクランブリングコード選択部４０７と、基地局１００のスクランブリングコード選択部１０７とは処理の一部に相違点があり、その相違を示すために異なる符号を付す。
【０１０５】
スクランブリングコード選択部４０７は、応答信号が、割当情報を通知された直後の上り送信に対する応答信号である場合と、ＮＡＣＫ情報を通知された直後の上り送信に対する応答信号である場合で、異なるスクランブリングコードを設ける。そして、スクランブリング部１０８は、レピティション部１０６から入力される同一の複数の応答信号に対して、異なるスクランブリングコードのいずれかでスクランブリングする。
【０１０６】
また、本実施の形態に係る移動局５００（図１８参照）は、実施の形態１係る移動局２００（図３）と同様な構成を採り、基本的に同様な動作を行う。ここでは、移動局５００と移動局２００との相違点のみについて説明する。
【０１０７】
デスクランブリング部５１１は、上り回線データが、割当情報を通知された直後の上り送信データである場合と、ＮＡＣＫ情報を通知された直後の上り送信データである場合に応答信号に対して、異なるスクランブリングコードを用いてデスクランブリングを行う。
【０１０８】
図１９は、本実施の形態に係る基地局４００と、ＤＳＡ移動局１と、ＤＳＡ移動局２との処理を示すシーケンスである。なお、図１９は図４と基本的に同様であるため、ここでは、図１９と図４との相違点のみについて説明する。
【０１０９】
図４においては、時刻ｔ１の前に、ＰＳＡ移動局は予め割り当てられたＲＢ１を用いて上り送信を行い、時刻ｔ１で基地局からの割当情報（ＲＢ２）を受信ミスした場合に、時刻ｔ３で続けてＲＢ１を用いて上り送信を行う。これに類似して、図１９においては、時刻ｔ１の前に、ＤＳＡ移動局１はＲＢ１を用いて初回送信を行い、時刻ｔ１で基地局からの割当情報（ＲＢ２）を受信ミスし、更に応答信号をＮＡＣＫと判断した場合に、時刻ｔ３で続けてＲＢ１を用いて１回目再送を行う。
【０１１０】
図２０は、基地局４００における、ＲＢ１に対応付けられた応答信号用チャネル番号１のスクランブリング処理を示す図である。なお、図２０は図６と基本的に同様であるため、詳細な説明を省略する。図２０と図６との相違点は、図６においては、ＤＳＡ移動局のスクランブリングコードを用いたのに対し、図２０においては、割当情報を通知された直後の上り送信に対する応答信号用のスクランブリングコードを用いる点のみである。
【０１１１】
図２１は、ＤＳＡ移動局１におけるデスクランブリング処理を示す図である。なお、図２１は図７と基本的に同様であるため、詳細な説明を省略する。図２１と図７との相違点は、図７においてはＰＳＡ移動局のスクランブリングコードを用いたのに対し、図２１においてはＮＡＣＫ情報を通知された直後の上り送信に対する応答信号用のスクランブリングコードを用いる点のみである。ＤＳＡ移動局１は、基地局４００からの応答信号（ＮＡＣＫ）をＤＴＸと判定し、時刻ｔ７で送信を停止する。
【０１１２】
図２２は、ＤＳＡ移動局２におけるデスクランブリング処理を示す図である。なお、図２２は図９と基本的に同様であるため、詳細な説明を省略する。図２２と図９との相違点は、図９においてはＤＳＡ移動局のスクランブリングコードを用いたのに対し、図２２においては割当情報を通知された直後の上り送信に対する応答信号用のスクランブリングコードを用いる点のみである。ＤＳＡ移動局２は、基地局４００からの応答信号（ＮＡＣＫ
）をＮＡＣＫと判定し、時刻ｔ７で再送（１回目）を行う。
【０１１３】
よって、時刻ｔ８では、ＤＳＡ移動局１からの上り回線データとＤＳＡ移動局２からの上り回線データとの衝突は発生せず、基地局４００では受信ＯＫ（誤り無し）となる。
【０１１４】
このように、本実施の形態によれば、応答信号用チャネルを複数の移動局で共有してＡＲＱ制御を行う移動通信システムにおいて、割当情報（ＲＢ２）を受信ミスしたＤＳＡ移動局から再送される上り回線データと、割当情報（ＲＢ１）を受信したＤＳＡ移動局から初回送信される上り回線データとの衝突が発生した場合に、基地局は、ＲＢ１に対応付けられた応答信号用チャネルにおけるレピティションシンボルを、割当情報を通知した直後の上り送信に対する応答信号用スクランブリングコードでスクランブリングし送信する。よって、割当情報（ＲＢ１）を受信したＤＳＡ移動局はデスクランブリング結果としてＮＡＣＫを得て再送を行う一方、割当情報（ＲＢ２）を受信ミスしたＤＳＡ移動局はデスクランブリング結果としてＤＴＸを得て送信を停止するため、ＡＲＱ制御の破綻を防ぐことができる。
【０１１５】
なお、本実施の形態では、割当情報を通知した直後の上り送信に対する応答信号用スクランブリングコードと、ＮＡＣＫ情報を通知された直後の上り送信に対する応答信号用のスクランブリングコードとの２つを異ならせる方法を説明したが、更に、割当情報を通知した後の再送回数毎に、スクランブリングコードを異ならせてもよい。これによって、図１９において、ＤＳＡ移動局１のｔ７におけるＤＴＸ判定が雑音等の影響でＮＡＣＫとなってしまった場合でも、更にその次の、ＤＳＡ移動局１のｔ１１における受信時に、ＤＳＡ移動局２に対する応答信号をＤＴＸと判定することができる。
【０１１６】
なお、本実施の形態では、上り回線データがＮＧであった場合に、基地局から割当情報を通知して再送を促すか、ＮＡＣＫを通知して再送を促すか、のいずれか一方を選択して行なう場合について説明したが、基地局から割当情報及びＮＡＣＫを通知して再送を促すか、ＮＡＣＫのみを通知して再送を促すかのいずれか一方を選択して行なう場合についても同様に実施可能である。その場合には、割当情報を通知した直後の上り送信に対する応答信号用スクランブリングコードと、割当情報を通知していない上り送信に対する応答信号用スクランブリングコードとを異ならせる。
【０１１７】
以上、本発明の各実施の形態について説明した。
【０１１８】
なお、上記各実施の形態では、割当情報通知チャネルの番号と応答信号用チャネルの番号とを１対１で対応づける場合を例にとって説明したが、本発明はこれに限定されず、割当情報通知チャネルが多重されているＣＣＥ（Control Channel Element）番号と応答信号用チャネルの番号とを対応付ける場合でも実施可能である。
【０１１９】
また、上記各実施の形態において、基地局が、各移動局に使用させるスクランブリングコードを制御情報を用いて各移動局に通知してもよい。また、予め使用するスクランブリングコードを移動局毎に決めておいても良い。
【０１２０】
なお、上記各実施の形態において、スクランブリングコードとしては１と−１をも利用したHadamard符号を利用しているが、これに限らず、直交コードを用いることができる。さらに、必ずしも直交コードではなくても、異なるコードを用いた場合に、応答信号のシンボルの振幅値が小さくなるコードであればよい。
【０１２１】
また、ＡＣＫに代えて上り回線データの送信停止を指示するStop信号、および、ＮＡＣＫに代えて上り回線データの送信再開を指示するRe-Transmit信号を応答信号として用い
る場合にも、上記各実施の形態と同様にして本発明を実施可能である。
【０１２２】
また、応答信号は、ＡＣＫ／ＮＡＣＫ信号と呼ばれる場合もある。
【０１２３】
また、応答信号用チャネルは、ＡＣＫ／ＮＡＣＫ  ＣＨや応答チャネルやＨＩＣＨ(Hybrid ＡＲＱ Indicator Channel)などと呼ばれる場合もある。
【０１２４】
また、ＤＴＸは、受信信号なしという意味でＮＵＬＬと呼ばれる場合もある。
【０１２５】
また、上記各実施の形態において、応答信号の変調方式としてＱＰＳＫ(Quadrature Phase Shift Keying)を用いることにより、２つのユーザの応答信号を１つのシンボルに多重した場合でも実施可能である。
【０１２６】
また、本発明は、レピティション・ファクターの大きさに限定されるものではない。
【０１２７】
また、同一グループに属する複数の移動局に対し同一の応答信号を送信する場合でも、上記各実施の形態と同様にして本発明を実施可能である。
【０１２８】
また、各移動局に固有の位相回転を応答信号に与える位相回転処理を用いても、上記スクランブリング処理を用いる場合と同様の作用および効果を得ることができる。例えば、基地局からフィードバックされる応答信号が図２３に示すようなＳ１である場合、ＰＳＡ移動局が図２４に示すようにＳ１に対し位相回転を与えず、ＤＳＡ移動局が図２５に示すようにＳ１に対しπ／２の位相回転を与えるようにする。そして、例えば、図２６に示す判定軸に従って、ＰＳＡ移動局が位相回転量＝０のＳ１を判定し、ＤＳＡ移動局が位相回転量＝π／２のＳ１を判定する。よって、実施の形態１と同様、ＤＳＡ移動局は基地局からの自局宛のＮＡＣＫをＮＡＣＫと判定し、ＰＳＡ移動局は基地局からのＤＳＡ移動局宛のＮＡＣＫをＤＴＸと判定することができる。更に、ＰＳＡ移動局が２値（ＡＣＫ、ＮＡＣＫ）判定を行なう場合には、ＰＳＡ移動局がＳ１に対し位相回転を与えず、ＤＳＡ移動局が位相回転量＝πの位相回転を与えるようにすることで、ＰＳＡ移動局は、基地局からＤＳＡ移動局宛てのＮＡＣＫをＡＣＫと判定することができる。
【０１２９】
また、移動局はUE、基地局装置はNode B、サブキャリアはトーンと称されることがある。また、ＣＰは、ガードインターバル（Guard Interval：ＧＩ）と称されることがある。
【０１３０】
また、周波数領域と時間領域との間の変換を行う方法は、ＩＦＦＴ、ＦＦＴ、ＤＦＴ、ＩＤＦＴに限られない。
【０１３１】
また、上記各実施の形態では下り回線の伝送方式としてＯＦＤＭ方式を一例に挙げたが、本発明において下り回線の伝送方式は特に限定されない。
【０１３２】
また、上記各実施の形態では上り回線が周波数分割多重を用いており、ＲＢ１及びＲＢ２について同時に２つのユーザに割り当てる場合について説明したが、時間分割多重を用いたSlot1及びSlot2または、Symbol1及びSymbol2を用いて同時に２つのユーザに割り当てる場合についても同様である。さらに、コード分割多重、空間分割多重の場合についても同様に実施可能である。
【０１３３】
また、上記各実施の形態では上り回線の伝送方式としてＤＦＴs（Discrete Fourier Transform spread）-ＦＤＭＡ(Frequency Division Multiplex Access)方式を一例に挙げたが、ユーザを周波数分割多重できる方式であれば、ＯＦＤＭ方式でもよいし、マルチキャリア方式でもよい。また、ユーザを時間分割多重、コード分割多重、空間分割多重する場
合も実施可能であり、その場合にも、上り回線の伝送方式は特に限定されない。
【０１３４】
また、応答信号は、受信品質を向上させるために、拡散送信、繰り返し送信等される場合があるが、この場合にも上記同様にして本発明を実施可能である。
【０１３５】
また、割当情報は、制御情報や、グラントや、Grantと呼称されることもある。また、本発明は、割当情報にはＵＥＩＤおよびＣＲＣが付加されており、割当情報を受信した直後には、誤ったＲＢに送信する確率がとても低く、割当情報を受信していない場合（つまり割当情報を受信ミスした可能性のある場合）には、誤ったＲＢに送信する確率が比較的高いという点に着眼したものである。よって、割当情報を通知するチャネル名称や、割当情報を通知してから割当が反映されるまでの時間的遅延量は問わず、実施可能である。
【０１３６】
また、上記実施の形態では、本発明をハードウェアで構成する場合を例にとって説明したが、本発明はソフトウェアで実現することも可能である。
【０１３７】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１３８】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１３９】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１４０】
２００７年８月１３日出願の特願２００７−２１１１６１の日本出願に含まれる明細書、図面および要約書の開示内容は、すべて本願に援用される。
【産業上の利用可能性】
【０１４１】
本発明は、移動体通信システム等に適用することができる。
【図面の簡単な説明】
【０１４２】
【図１】ＡＲＱのシーケンス例
【図２】実施の形態１に係る基地局の構成を示すブロック図
【図３】実施の形態１に係る移動局の構成を示すブロック図
【図４】実施の形態１に係るＡＲＱのシーケンス例
【図５】実施の形態１に係るコンスタレーションパターン
【図６】実施の形態１に係るスクランブリング例
【図７】実施の形態１に係るデスクランブリング例（ＰＳＡ移動局）
【図８】実施の形態１に係る判定例
【図９】実施の形態１に係るデスクランブリング例（ＤＳＡ移動局）
【図１０】実施の形態２に係るコンスタレーションパターン
【図１１】実施の形態２に係る基地局の構成を示すブロック図
【図１２】実施の形態２に係るＡＲＱのシーケンス例
【図１３】実施の形態２に係るスクランブリング例
【図１４】実施の形態２に係るデスクランブリング例（ＰＳＡ移動局）
【図１５】実施の形態２に係るデスクランブリング例（ＤＳＡ移動局）
【図１６】実施の形態３に係るＡＲＱのシーケンス例
【図１７】実施の形態３に係る基地局の構成を示すブロック図
【図１８】実施の形態３に係る移動局の構成を示すブロック図
【図１９】実施の形態３に係るＡＲＱのシーケンス例
【図２０】実施の形態３に係るスクランブリング例
【図２１】実施の形態３に係るデスクランブリング例（ＤＳＡ移動局１）
【図２２】実施の形態３に係るデスクランブリング例（ＤＳＡ移動局２）
【図２３】その他の応答信号例
【図２４】位相回転例（移動局１）
【図２５】位相回転例（移動局２）
【図２６】その他の判定例
【手続補正３】
【補正対象書類名】図面
【補正対象項目名】全図
【補正方法】変更
【補正の内容】
【図１】
2009022467.tif 000029
【図２】
2009022467.tif 000030
【図３】
2009022467.tif 000031
【図４】
2009022467.tif 000032
【図５】
2009022467.tif 000033
【図６】
2009022467.tif 000034
【図７】
2009022467.tif 000035
【図８】
2009022467.tif 000036
【図９】
2009022467.tif 000037
【図１０】
2009022467.tif 000038
【図１１】
2009022467.tif 000039
【図１２】
2009022467.tif 000040
【図１３】
2009022467.tif 000041
【図１４】
2009022467.tif 000042
【図１５】
2009022467.tif 000043
【図１６】
2009022467.tif 000044
【図１７】
2009022467.tif 000045
【図１８】
2009022467.tif 000046
【図１９】
2009022467.tif 000047
【図２０】
2009022467.tif 000048
【図２１】
2009022467.tif 000049
【図２２】
2009022467.tif 000050
【図２３】
2009022467.tif 000051
【図２４】
2009022467.tif 000052
【図２５】
2009022467.tif 000053
【図２６】
2009022467.tif 000054
【国際調査報告】
2009022467.tif 000055
2009022467.tif 000056